(57)【特許請求の範囲】
【請求項１】
可動広告ディスプレイデバイス上で広告を表示するための方法であって、
複数の広告と、前記複数の広告を領域および時間と関連付ける広告選択基準とを受信するステップ(652、754)と、
現在の場所および現在の時間を決定するステップ(756)とを含む方法において、
少なくとも1つのモバイルデバイスから、ユーザ要求を含むユーザデータを受信するステップ(772)と、
前記ユーザ要求に応答するステップ(774)と、
前記現在の場所、前記現在の時間、および前記ユーザデータに基づいて、前記複数の広告から広告を選択するステップ(758)と、
前記選択された広告を表示するステップ(664)と、
前記現在の場所を広告サーバに送信するステップと、
前記広告が受信されたかどうかを判定するステップと、
前記広告が受信された場合、前記広告を表示するステップと、
前記広告が受信されなかった場合、命令が受信されたかどうかを判定するステップと、
前記命令が受信された場合、前記命令に従って前記広告を表示するステップと、
前記命令が受信されず前記広告が受信されなかった場合、デフォルトの広告を表示するステップと、
を含むことを特徴とする、方法。
【請求項２】
前記少なくとも1つのモバイルデバイスを含む複数のモバイルデバイスとのワイヤレス通信リンクを確立するステップをさらに含み、前記広告選択基準がさらに、前記複数の広告を前記ユーザデータと関連付け、前記広告が、前記広告選択基準にも基づいて選択されることを特徴とする、請求項1に記載の方法。
【請求項３】
前記少なくとも1つのモバイルデバイスを含む複数のモバイルデバイスとのワイヤレス通信リンクを確立するステップと、
受信されたユーザデータを広告サーバに送信するステップとをさらに含むことを特徴とする、請求項1に記載の方法。
【請求項４】
請求書を生成するステップであって、前記請求書が、前記広告と関連付けられる第1の口座に対して第1の額を請求する、ステップをさらに含むことを特徴とする、請求項1に記載の方法。
【請求項５】
前記少なくとも1つのモバイルデバイスを含む複数のモバイルデバイスとのワイヤレス通信リンクを確立するステップと、
前記ユーザデータを広告サーバに送信するステップとをさらに含み、
前記請求書がさらに、前記少なくとも1つのモバイルデバイスに基づいて、前記広告と関連付けられる第2の口座に対して第2の額を請求することを特徴とする、請求項4に記載の方法。
【請求項６】
前記請求書がさらに、前記ユーザ要求を含む前記ユーザデータに応答して、前記広告と関連付けられる第3の口座に対して第3の額を請求する、請求項5に記載の方法。
【請求項７】
可動広告ディスプレイデバイス上で表示する広告を選択する方法であって、
複数の広告を受信するステップ(652)と、
前記複数の広告の各々を領域または時間と関連付けて、広告選択基準にするステップ(754)と、
前記可動広告ディスプレイデバイスから場所を受信するステップ(756)とを含む方法において、
少なくとも1つのモバイルデバイスから、ユーザ要求を含むユーザデータを受信するステップ(772)と、
前記ユーザ要求に応答するステップ(774)と、
前記場所、現在の時間、前記ユーザデータ、および前記広告選択基準に基づいて、前記複数の広告から広告を選択するステップ(758)と、
前記広告が前記可動広告ディスプレイデバイスに記憶されているかどうか判定するステップ(660)と、
前記選択された広告が前記可動広告ディスプレイデバイスに記憶されていない場合、前記広告を前記可動広告ディスプレイデバイスに送信するステップ(662)と、
前記広告が前記可動広告ディスプレイデバイスに記憶されている場合、前記広告を表示するための命令を、前記可動広告ディスプレイデバイスに送信するステップ(664)とを含むことを特徴とする、方法。
【請求項８】
前記複数の広告の各々が、前記広告選択基準においてサンプルユーザデータと関連付けられる、請求項7に記載の方法。
【請求項９】
前記ユーザ要求に応答するステップが、前記モバイルデバイスのユーザにクーポンを送信するステップを含む、請求項8に記載の方法。
【請求項１０】
第2の複数の広告を受信するステップと、
前記第2の複数の広告の各々を、領域、時間、およびサンプルユーザデータと関連付けるステップと、
データ構造を、前記第2の複数の広告、ならびに、関連付けられる領域、時間、およびサンプルユーザデータによって更新するステップとをさらに含むことを特徴とする、請求項8に記載の方法。
【請求項１１】
前記選択された広告と関連付けられる第1の口座に第1の額を貸方計上するステップと、
前記選択された広告と関連付けられる第2の口座に前記第1の額を借方計上するステップとをさらに含むことを特徴とする、請求項7に記載の方法。
【請求項１２】
前記複数の広告の各々を前記ユーザデータと関連付けるステップと、
前記可動広告ディスプレイデバイスからさらなるユーザデータを受信するステップと、
前記さらなるユーザデータに基づいて、前記選択された広告と関連付けられる第1の口座に第2の額を貸方計上するステップと、
前記選択された広告と関連付けられる第2の口座に前記第2の額を借方計上するステップとをさらに含むことを特徴とする、請求項11に記載の方法。
【請求項１３】
前記ユーザ要求に基づいて、前記広告と関連付けられる第1の口座に第3の額を貸方計上するステップと、
前記広告と関連付けられる第2の口座に前記第3の額を借方計上するステップとをさらに含むことを特徴とする、請求項12に記載の方法。
【請求項１４】
顧客確認を受信するステップと、
前記顧客確認に基づいて、前記広告と関連付けられる前記第1の口座に第4の額を貸方計上するステップと、
前記広告と関連付けられる前記第2の口座に前記第4の額を借方計上するステップとをさらに含むことを特徴とする、請求項13に記載の方法。
【請求項１５】
複数の広告と、前記複数の広告を領域および時間と関連付ける広告選択基準とを受信するための手段(1812、1808、1804)と、
現在の場所および現在の時間を決定するための手段(1804、1806、1810)とを含むモバイルデバイスであって、
少なくとも1つのモバイルデバイスから、ユーザ要求を含むユーザデータを受信するための手段(1812、1808、1804)と、
前記ユーザ要求に応答するための手段(1804)と、
前記現在の場所、前記現在の時間、および前記ユーザデータに基づいて、前記複数の広告から広告を選択するための手段(1804)と、
前記選択された広告を表示するための手段(1802)と、
前記現在の場所を広告サーバに送信するための手段と、
前記広告が受信されたかどうかを判定するための手段と、
前記広告が受信された場合、前記広告を表示するための手段と、
前記広告が受信されなかった場合、命令が受信されたかどうかを判定するための手段と、
前記命令が受信された場合、前記命令に従って前記広告を表示するための手段と、
前記命令が受信されず前記広告が受信されなかった場合、デフォルトの広告を表示するための手段と、
を含むことを特徴とする、可動広告ディスプレイデバイス。
【請求項１６】
前記少なくとも1つのモバイルデバイスを含む複数のモバイルデバイスとのワイヤレス通信リンクを確立するための手段をさらに含み、
前記広告選択基準がさらに、前記複数の広告を前記ユーザデータと関連付け、
広告を選択するための前記手段が、前記広告選択基準に基づいて広告を選択するための手段を含むことを特徴とする、請求項15に記載の可動広告ディスプレイデバイス。
【請求項１７】
前記少なくとも1つのモバイルデバイスを含む複数のモバイルデバイスとのワイヤレス通信リンクを確立するための手段と、
前記ユーザデータを広告サーバに送信するための手段とをさらに含むことを特徴とする、請求項15に記載の可動広告ディスプレイデバイス。
【請求項１８】
請求書を生成するための手段であって、前記請求書が、前記広告と関連付けられる口座に対して第1の額を請求する、手段をさらに含むことを特徴とする、請求項15に記載の可動広告ディスプレイデバイス。
【請求項１９】
前記少なくとも1つのモバイルデバイスを含む複数のモバイルデバイスとのワイヤレス通信リンクを確立するための手段と、
前記ユーザデータを広告サーバに送信するための手段とをさらに含み、
前記請求書がさらに、前記複数のモバイルデバイスに基づいて、前記広告と関連付けられる第2の口座に対して第2の額を請求することを特徴とする、請求項18に記載の可動広告ディスプレイデバイス。
【請求項２０】
前記請求書がさらに、前記ユーザ要求を含む前記ユーザデータに応答して、前記広告と関連付けられる第3の口座に対して第3の額を請求する、請求項19に記載の可動広告ディスプレイデバイス。
【請求項２１】
可動広告ディスプレイデバイスのプロセッサに、
複数の広告と、前記複数の広告を領域および時間と関連付ける広告選択基準とを受信するステップと、
現在の場所および現在の時間を決定するステップとを含む動作を実行させるように構成されるプロセッサ実行可能命令を記憶した、プロセッサ可読記憶媒体であって、前記動作が、
少なくとも1つのモバイルデバイスから、ユーザ要求を含むユーザデータを受信するステップと、
前記ユーザ要求に応答するステップと、
前記現在の場所、前記現在の時間、および前記ユーザデータに基づいて、前記複数の広告から広告を選択するステップと、
前記選択された広告を表示するステップと、
前記記憶されたプロセッサ実行可能命令が、可動広告ディスプレイデバイスのプロセッサに動作を実行させるように構成され、前記動作が、
前記現在の場所を広告サーバに送信するステップと、
前記広告が受信されたかどうかを判定するステップと、
前記広告が受信された場合、前記広告を表示するステップと、
前記広告が受信されなかった場合、命令が受信されたかどうかを判定するステップと、
前記命令が受信された場合、前記命令に従って前記広告を表示するステップと、
前記命令が受信されず前記広告が受信されなかった場合、デフォルトの広告を表示するステップと、
を含むことを特徴とする、プロセッサ可読記憶媒体。
【請求項２２】
前記記憶されたプロセッサ実行可能命令が、可動広告ディスプレイデバイスのプロセッサに動作を実行させるように構成され、前記動作が、
前記少なくとも1つのモバイルデバイスを含む複数のモバイルデバイスとのワイヤレス通信リンクを確立するステップをさらに含み、
前記広告選択基準がさらに、前記複数の広告を前記ユーザデータと関連付け、
前記広告が、前記広告選択基準にも基づいて選択されることを特徴とする、請求項21に記載のプロセッサ可読記憶媒体。
【請求項２３】
前記記憶されたプロセッサ実行可能命令が、可動広告ディスプレイデバイスのプロセッサに動作を実行させるように構成され、前記動作が、
前記少なくとも1つのモバイルデバイスを含む複数のモバイルデバイスとのワイヤレス通信リンクを確立するステップと、
受信されたユーザデータを広告サーバに送信するステップとをさらに含むことを特徴とする、請求項21に記載のプロセッサ可読記憶媒体。
【請求項２４】
前記記憶されたプロセッサ実行可能命令が、可動広告ディスプレイデバイスのプロセッサに動作を実行させるように構成され、前記動作が、
請求書を生成するステップであって、前記請求書が、前記広告と関連付けられる第1の口座に対して第1の額を請求する、ステップをさらに含むことを特徴とする、請求項21に記載のプロセッサ可読記憶媒体。
【請求項２５】
前記記憶されたプロセッサ実行可能命令が、可動広告ディスプレイデバイスのプロセッサに動作を実行させるように構成され、前記動作が、
前記少なくとも1つのモバイルデバイスを含む複数のモバイルデバイスとのワイヤレス通信リンクを確立するステップと、
前記ユーザデータを広告サーバに送信するステップとをさらに含み、
前記請求書がさらに、前記少なくとも1つのモバイルデバイスに基づいて、前記広告と関連付けられる第2の口座に対して第2の額を請求することを特徴とする、請求項24に記載のプロセッサ可読記憶媒体。
【請求項２６】
前記記憶されたプロセッサ実行可能命令が、前記ユーザ要求を含む前記ユーザデータに応答して、前記請求書がさらに前記広告と関連付けられる第3の口座に対して第3の額を請求するように、可動広告ディスプレイデバイスのプロセッサに動作を実行させるように構成される、請求項25に記載のプロセッサ可読記憶媒体。
【請求項２７】
複数の広告を受信するための手段(1701、1702)と、
前記複数の広告の各々を領域または時間と関連付けて、広告選択基準にするための手段(1701、1702)と、
可動広告ディスプレイデバイスから場所を受信するための手段(1706、1712)とを含むサーバであって、
少なくとも1つのモバイルデバイスから、ユーザ要求を含むユーザデータを受信するための手段(1706、1712)と、
前記ユーザ要求に応答するための手段(1701、1702、1706、1712)と、
前記場所、現在の時間、前記ユーザデータ、および前記広告選択基準に基づいて、前記複数の広告から広告を選択するための手段(1701、1702)と、
前記広告が前記可動広告ディスプレイデバイスに記憶されているかどうか判定するための手段(1701、1702)と、
前記選択された広告が前記可動広告ディスプレイデバイスに記憶されていない場合、前記広告を前記可動広告ディスプレイデバイスに送信するための手段(1701、1702、1706、1712)と、
前記広告が前記可動広告ディスプレイデバイスに記憶されている場合、前記広告を表示するための命令を、前記可動広告ディスプレイデバイスに送信するための手段(1701、1702、1706、1712)とを含むことを特徴とする、サーバ。
【請求項２８】
さらに、前記複数の広告の各々が、前記広告選択基準においてサンプルユーザデータと関連付けられる、請求項27に記載のサーバ。
【請求項２９】
前記ユーザ要求に応答するための手段が、前記モバイルデバイスのユーザにクーポンを送信するための手段を含む、請求項28に記載のサーバ。
【請求項３０】
第2の複数の広告を受信するための手段と、
前記第2の複数の広告の各々を、領域、時間、およびサンプルユーザデータと関連付けるための手段と、
データ構造を、前記第2の複数の広告、ならびに、関連付けられる領域、時間、およびサンプルユーザデータによって更新するための手段とをさらに含むことを特徴とする、請求項28に記載のサーバ。
【請求項３１】
前記選択された広告と関連付けられる第1の口座に第1の額を貸方計上するための手段と、
前記選択された広告と関連付けられる第2の口座に前記第1の額を借方計上するための手段とをさらに含むことを特徴とする、請求項27に記載のサーバ。
【請求項３２】
前記複数の広告の各々をターゲットユーザデータと関連付けるための手段と、
前記可動広告ディスプレイデバイスからさらなるユーザデータを受信するための手段と、
前記さらなるユーザデータに基づいて、前記選択された広告と関連付けられる第1の口座に第2の額を貸方計上するための手段と、
前記選択された広告と関連付けられる第2の口座に前記第2の額を借方計上するための手段とをさらに含むことを特徴とする、請求項31に記載のサーバ。
【請求項３３】
前記ユーザ要求に基づいて、前記広告と関連付けられる第1の口座に第3の額を貸方計上するための手段と、
前記広告と関連付けられる第2の口座に前記第3の額を借方計上するための手段とをさらに含むことを特徴とする、請求項32に記載のサーバ。
【請求項３４】
顧客確認を受信するための手段と、
前記顧客確認に基づいて、前記広告と関連付けられる前記第1の口座に第4の額を貸方計上するための手段と、
前記広告と関連付けられる前記第2の口座に前記第4の額を借方計上するための手段とをさらに含むことを特徴とする、請求項33に記載のサーバ。
【請求項３５】
サーバプロセッサに動作を実行させるように構成されるプロセッサ実行可能命令を記憶した、サーバ可読記憶媒体であって、前記動作が、
複数の広告を受信するステップと、
前記複数の広告の各々を領域または時間と関連付けて、広告選択基準にするステップと、
可動広告ディスプレイデバイスから場所を受信するステップとを含む、サーバ可読記憶媒体において、前記動作が、
少なくとも1つのモバイルデバイスから、ユーザ要求を含むユーザデータを受信するステップと、
前記ユーザ要求に応答するステップと、
前記場所、現在の時間、前記ユーザデータ、および前記広告選択基準に基づいて、前記複数の広告から広告を選択するステップと、
前記広告が前記可動広告ディスプレイデバイスに記憶されているかどうか判定するステップと、
前記選択された広告が前記可動広告ディスプレイデバイスに記憶されていない場合、前記広告を前記可動広告ディスプレイデバイスに送信するステップと、
前記広告が前記可動広告ディスプレイデバイスに記憶されている場合、前記広告を表示するための命令を、前記可動広告ディスプレイデバイスに送信するステップとを含むことを特徴とする、サーバ可読記憶媒体。
【請求項３６】
前記複数の広告の各々が、前記広告選択基準においてサンプルユーザデータと関連付けられる、請求項35に記載のサーバ可読記憶媒体。
【請求項３７】
前記ユーザ要求に応答するステップが、前記モバイルデバイスのユーザにクーポンを送信するステップを含む、請求項36に記載のサーバ可読記憶媒体。
【請求項３８】
前記記憶されたプロセッサ実行可能命令が、サーバプロセッサに動作を実行させるように構成され、前記動作が、
第2の複数の広告を受信するステップと、
前記第2の複数の広告の各々を、領域、時間、およびサンプルユーザデータと関連付けるステップと、
データ構造を、前記第2の複数の広告、ならびに、関連付けられる領域、時間、およびサンプルユーザデータによって更新するステップとをさらに含むことを特徴とする、請求項36に記載のサーバ可読記憶媒体。
【請求項３９】
前記記憶されたプロセッサ実行可能命令が、サーバプロセッサに動作を実行させるように構成され、前記動作が、
前記選択された広告と関連付けられる第1の口座に第1の額を貸方計上するステップと、
前記選択された広告と関連付けられる第2の口座に前記第1の額を借方計上するステップとをさらに含むことを特徴とする、請求項35に記載のサーバ可読記憶媒体。
【請求項４０】
前記記憶されたプロセッサ実行可能命令が、サーバプロセッサに動作を実行させるように構成され、前記動作が、
前記複数の広告の各々を前記ユーザデータと関連付けるステップと、
前記可動広告ディスプレイデバイスからさらなるユーザデータを受信するステップと、
前記さらなるユーザデータに基づいて、前記選択された広告と関連付けられる第1の口座に第2の額を貸方計上するステップと、
前記選択された広告と関連付けられる第2の口座に前記第2の額を借方計上するステップとをさらに含むことを特徴とする、請求項39に記載のサーバ可読記憶媒体。
【請求項４１】
前記記憶されたプロセッサ実行可能命令が、サーバプロセッサに動作を実行させるように構成され、前記動作が、
前記ユーザ要求に基づいて、前記広告と関連付けられる第1の口座に第3の額を貸方計上するステップと、
前記広告と関連付けられる第2の口座に前記第3の額を借方計上するステップとをさらに含むことを特徴とする、請求項40に記載のサーバ可読記憶媒体。
【請求項４２】
前記記憶されたプロセッサ実行可能命令が、サーバプロセッサに動作を実行させるように構成され、前記動作が、
顧客確認を受信するステップと、
前記顧客確認に基づいて、前記広告と関連付けられる前記第1の口座に第4の額を貸方計上するステップと、
前記広告と関連付けられる前記第2の口座に前記第4の額を借方計上するステップとをさらに含むことを特徴とする、請求項41に記載のサーバ可読記憶媒体。
【発明の詳細な説明】
【技術分野】
【０００１】
関連出願
本出願は、その内容全体が参照により本明細書に組み込まれる、2011年7月8日に出願した「METHODS AND SYSTEMS FOR DISPLAYING GEO-BASED OFFERS ON A MOBILE DEVICE」という表題の米国仮特許出願第61/505,633号の優先権の利益を主張する。
【背景技術】
【０００２】
広告は、事業拡大の中核部分として長らく認識されてきた。スポンサーは、広告を利用して消費者とコミュニケーションを取る。広告はまた、政治的な、思想的な、または公衆安全のメッセージなどの、非商用情報を伝えることにも有用であることがわかっている。
【発明の概要】
【発明が解決しようとする課題】
【０００３】
広告は、様々な従来のおよび新しい媒体を通じて拡大し続けてきた。ほとんどあらゆる媒体が、広告のために使用され得る。しかしながら、広告が広告板のような物理的な媒体に設置されると、通常はその広告は変わらない。いくつかの広告を順番に変えることができる物理的な広告媒体も一部で作成されているが、これらの媒体はそれでも、事前の設定またはプログラミングを必要とする。スポンサーが自身のメッセージを継続的に更新し、現在の時点または位置において消費者が関心を持っていることに関して消費者とコミュニケーションを取ることを可能にする、広告方法および広告媒体が求められている。
【０００４】
多くの広告媒体は可動である。たとえば、タクシーおよびバスには、広告板が貼られていることが多い。可動媒体には多用途の可能性があるにもかかわらず、これらの広告は、車両が移動する場所に関係なく同じままである。Moonの米国特許第6,545,596号において開示されるように、いくつかの可動媒体が変化する際、位置情報のみが考慮される。環境に基づいて広告メッセージを自動的に更新できるシステムに対する需要も存在する。
【課題を解決するための手段】
【０００５】
様々な態様は、可動広告ディスプレイデバイス上で広告を表示するための方法を含み、この方法は、広告と、特定の広告を場所および時間と関連付ける表とを受信するステップと、広告ディスプレイの現在の場所および時間を決定するステップと、現在の場所、時間、および表における現在の場所と時間の関連付けとに基づいて広告を選択するステップと、可動ディスプレイに選択された広告を表示するステップとを含む。さらなる態様は、広告ディスプレイの現在の場所を広告サーバに送信するステップと、サーバから広告を受信するステップと、広告が受信された場合に受信された広告を表示するステップ、命令が受信された場合に受信された命令に従って広告を表示するステップ、または、広告も命令も受信されなかった場合にデフォルトの広告を表示するステップとを含み得る。
【０００６】
さらなる態様は、複数の広告を受信することによって、可動広告ディスプレイデバイス上に表示する広告を選択するステップと、複数の広告の各々を場所または時間と関連付けるステップと、可動広告ディスプレイデバイスから場所を受信するステップと、受信された場所および現在の時間に基づいて、複数の広告からある広告を選択するステップと、選択された広告が可動広告ディスプレイデバイスに記憶されているかどうか判定するステップと、選択された広告が可動広告ディスプレイデバイスに記憶されていない場合、選択された広告を送信するステップと、選択された広告が可動広告ディスプレイデバイスに記憶されている場合、選択された広告を表示するための命令を送信するステップとを含み得る。
【０００７】
様々な態様は、上で説明された態様の方法の動作を実行するように構成されるプロセッサを含む、可動広告ディスプレイデバイスおよびサーバを含む。様々な態様はまた、上で説明された態様の方法の機能を実行するための手段を含む、可動広告ディスプレイデバイスおよびサーバを含む。様々な態様はまた、プロセッサに、上で説明された態様の方法の動作をプロセッサに実行させるように構成されるプロセッサ実行可能命令を記憶した、プロセッサ可読かつサーバ可読の非一時的記憶媒体を含む。
【０００８】
本明細書に組み込まれ、本明細書の一部をなす添付の図面は、本発明の例示的な態様を示し、上記の全般的な説明および下記の発明を実施するための形態とともに、本発明の特徴を説明するのに役立つ。
【図面の簡単な説明】
【０００９】
【図１】様々な態様とともに使用するのに適した通信ネットワークのシステム図である。
【図２Ａ】様々な態様において使用する地理的な領域の例の図である。
【図２Ｂ】様々な態様において使用する地理的な領域の例の図である。
【図３Ａ】広告を時間および地理的ゾーンと関連付ける表の例である。
【図３Ｂ】様々なゾーンおよび時間にわたる、経路の例に対する広告を示す図表である。
【図４】地理に基づいて可動広告ディスプレイデバイス(MADD)上で広告を表示するためのある態様の方法の処理流れ図である。
【図５Ａ】モバイルデバイスから受信された地理データおよびユーザデータに基づいて、MADD上で広告を表示するためのある態様の方法の処理流れ図である。
【図５Ｂ】MADDと接続するモバイルデバイスのユーザから見た図である。
【図６Ａ】地理に基づいてMADD上で広告を表示するための、MADDにおいて実施され得るある態様の方法の処理流れ図である。
【図６Ｂ】地理に基づいてMADD上で広告を表示するための、サーバにおいて実施され得るある態様の方法の処理流れ図である。
【図７Ａ】モバイルデバイスから受信された地理データおよびユーザデータに基づいて、MADD上で広告を表示するための、MADDにおいて実施され得るある態様の方法の処理流れ図である。
【図７Ｂ】モバイルデバイスから受信された地理データおよびユーザデータに基づいて、MADD上で広告を表示するための、サーバにおいて実施され得るある態様の方法の処理流れ図である。
【図７Ｃ】モバイルデバイスから受信された地理データおよびユーザデータに基づいて、MADD上で広告を表示し、ユーザ要求に応答するための、サーバにおいて実施され得るある態様の方法の処理流れ図である。
【図７Ｄ】ユーザ要求に応答して提供される選択肢のリストを伴う、モバイルデバイスの斜視図である。
【図７Ｅ】ユーザ要求に応答して提供されるクーポンを伴う、モバイルデバイスの斜視図である。
【図８】MADD上で新たなまたは更新されたメッセージを表示するための、ある態様の方法の処理流れ図である。
【図９Ａ】地理に基づいてMADD上で広告を表示し第1の請求書を生成するための、MADDにおいて実施され得るある態様の方法の処理流れ図である。
【図９Ｂ】地理に基づいてMADD上で広告を表示し第1の請求書を生成するための、サーバにおいて実施され得るある態様の方法の処理流れ図である。
【図１０Ａ】地理に基づいてMADD上で広告を表示し第1の請求書および第2の請求書を生成するための、MADDにおいて実施され得るある態様の方法の処理流れ図である。
【図１０Ｂ】地理に基づいてMADD上で広告を表示し第1の請求書および第2の請求書を生成するための、サーバにおいて実施され得るある態様の方法の処理流れ図である。
【図１１Ａ】地理に基づいてMADD上で広告を表示し、第1の請求書、第2の請求書、および第3の請求書を生成するための、MADDにおいて実施され得るある態様の方法の処理流れ図である。
【図１１Ｂ】地理に基づいてMADD上で広告を表示し、第1の請求書、第2の請求書、および第3の請求書を生成するための、サーバにおいて実施され得るある態様の方法の処理流れ図である。
【図１２】地理に基づいてMADD上で広告を表示し、第1の請求書、第2の請求書、第3の請求書、および第4の請求書を生成するための、ある態様の方法の処理流れ図である。
【図１３】MADD上で表示するための可動広告を配信するための、ある態様の方法の処理流れ図である。
【図１４】MADDを追跡するためのある態様の方法の処理流れ図である。
【図１５】ある態様による、複数車両による可動広告の実装形態を示す、通信システム図である。
【図１６】複数車両のディスプレイによる広告を展開するための、ある態様の方法の処理流れ図である。
【図１７】様々な態様においてサーバとして使用するのに適したコンピューティングデバイスの斜視図である。
【図１８】MADDのコンポーネントブロック図である。
【図１９】MADDを備えたタクシーのシステム図である。
【発明を実施するための形態】
【００１０】
様々な態様が、添付の図面を参照して詳細に説明される。可能な場合はいつでも、同じまたは同様の部分を指すのに、図面全体にわたって同じ参照番号を使用する。特定の例および実装形態に対して行われる参照は、説明を目的とし、本発明の範囲または本特許請求の範囲を限定することは意図されない。
【００１１】
「例示的な」という言葉は、「例、実例、または例示として機能すること」を意味するために本明細書で使用される。本明細書に「例示的」と記載されるいかなる実装形態も、必ずしも他の実装形態よりも好ましいまたは有利であると解釈されるべきではない。
【００１２】
本明細書で使用される場合、「コンピューティングデバイス」および「モバイルデバイス」という用語は、限定はされないが、携帯電話、個人用テレビジョンデバイス、携帯情報端末(PDA)、パームトップコンピュータ、ワイヤレス電子メール受信機(たとえば、Blackberry(登録商標)およびTreo(登録商標)デバイス)、マルチメディアインターネット対応携帯電話(たとえば、Blackberry Storm(登録商標))、全地球測位システム(GPS)受信機、ワイヤレスゲームコントローラ、車両(たとえば、自動車)内の受信機、対話型ゲームデバイス、ノートブック、スマートブック、ネットブック、タブレット(たとえば、Apple(登録商標)、iPad(登録商標)、Samsung(登録商標)、Galaxy(登録商標))、モバイルテレビジョンデバイス、ワイヤレスモデムドングル、ワイヤレスモデムに結合されたコンピュータ(たとえば、ラップトップコンピュータ)、ドングルに結合されたコンピュータ、または、他のポータブルプログラム可能コンピューティングデバイスを含む、種々のコンピュータデバイスを指す。
【００１３】
概して、様々な態様は、コンピューティングデバイスに記憶され、または送信される任意の形式のディスプレイ広告を電子ディスプレイが提示できるように、コンピューティングデバイスによって制御された電子ディスプレイの柔軟性を利用する。さらに、位置センサ(たとえば、GPS)およびワイヤレス通信ネットワークの接続が、従来の広告板よりも効率的な、関連するディスプレイ広告の消費者への配信を可能にする。
【００１４】
本明細書で開示される様々な態様は、時間および地理、さらには他の情報に基づいて、広告を関連する消費者に配信するやり方で、可動広告ディスプレイデバイス(MADD)上での広告の提供を可能にする。MADDは、ディスプレイ上に多様な広告画像を提示できるコンピューティングデバイスの制御下で、かなり大きいサイズの画像を生成するための、電子ディスプレイを含むデバイスである。ディスプレイは、バス、列車、地下鉄、タクシーなどのような動力車に取り付けられ得る形式でディスプレイコンポーネントおよびコンピューティングデバイスをパッケージングすることによって、可動にされ得る。広告は、MADDの地理的な位置、時刻、または、周囲のモバイルデバイスからの様々なタイプのユーザデータのうちの1つまたは複数に基づいて、表示のために選択され得る。位置および時間に基づいて表示される広告を変えることによって、業者は、広告を見る可能性が高い消費者を、正確に狙うことができる。たとえば、業者は、特定の市場または消費者に訴求するように調整されたいくつかの時間および場所において提示されることになる広告に、出資することができる。さらなる態様は、MADDのシグナリング範囲内にいる可能性のあるモバイルデバイスのユーザからの、情報またはクーポンの要求に応答するシステムおよび方法を含む。さらなる態様は、ディスプレイ状態およびモバイルデバイスのユーザの活動に基づいて広告収益を割り当てるための、システムおよび方法を含む。
【００１５】
図1は、MADDと連携して使用され得る例示的な広告通信システム100を示す。広告通信システム100は、携帯電話ネットワーク、Wi-Fiネットワーク、または、セルラーネットワークとWi-Fiネットワークの両方の組合せのような、ワイヤレス通信システム102を利用することができる。ワイヤレス通信システム102は、インターネットゲートウェイ接続126を介するなどして、インターネット112に結合され得る。1つまたは複数の広告サーバ104は、ローカルエリアネットワーク120またはインターネット112によってワイヤレス通信システム102に結合され得る。図1は、物理的な接続としてネットワーク接続120を示すが、ワイヤレスネットワーク接続も使用され得る。ワイヤレス通信システム102は、ワイヤレスデータリンク114を通じて、ワイヤレス通信サービス(たとえば、セルラーデータネットワークまたはWi-Fi)を複数のモバイルデバイス106に提供することができる。ワイヤレス通信システム102はまた、ワイヤレスデータリンク124を通じて、ワイヤレス通信サービスを複数の可動広告ディスプレイデバイスMADD 108に提供することができる。図1に示されるように、MADD 108は、広告が可動となるように、バス、タクシー、またはトラックのような車両130に取り付けられ得る。MADD 108はまた、Bluetooth(登録商標)接続またはワイヤレスLAN(たとえば、Wi-Fi、FlashLinqなど)接続のような別個のワイヤレスデータリンク116を通じて、モバイルデバイス106との通信リンクを確立するためのローカルエリア送受信機を含み得る。
【００１６】
広告通信システム100はまた、複数の広告スポンサーサーバ110を含み得る。スポンサーサーバ110は、1つまたは複数の小売商、または、広告に出資する他の業者もしくは行政機関に対応し得る。スポンサーサーバ110は、インターネット112を介して、ワイヤレス通信システム102に接続され得る。スポンサーサーバ110は、たとえば、ローカルエリアネットワーク122を通じて、またはインターネット112を介して、広告サーバ104と接続され得る。広告サーバ104およびスポンサーサーバ110は、標準的なインターネット接続120を通じてインターネット112に接続され得る。
【００１７】
MADD 108は、種々のグラフィカルな広告を提示することが可能な、種々の電子ディスプレイのいずれとも通信することができる。MADD 108は、MADD 108が一日中移動するように、車両130(たとえば、タクシー)に結合され得る。以下でより完全に説明されるように、MADD 108は、GPSセンサのような場所センサを備え得るので、システムは、その現在の位置、さらにはその時刻を認識する。そのようなセンサからの情報を使用して、表示のための広告が、MADD 108の現在の位置および/または時刻に基づいて選択され得る。MADD 108が新たな位置に移動すると、MADD 108のディスプレイは、現在の位置にいる消費者により適した広告を提示するように変化し得る。広告の適切性は、MADDの近隣にある業者、広告を見る可能性の高い消費者の層などのような、種々の要因に基づき得る。たとえば、MADD 108は、タクシー130の頂部に配置され得る。タクシー130が街中を移動すると、MADD 108に表示される広告は、特定の近隣にいる消費者(たとえば、銀行のある区域では実業家、カジノのある区域では賭博師)に対して訴求するように、かつ、現在のMADDの位置から徒歩圏内にある組織などのローカルな業者に対して宣伝するように、変化し得る。
【００１８】
本明細書で説明される様々な態様とともに実装され得る、地理的な位置に基づく広告の概念を例示すると、市街地は、図2Aに示されるように、ゾーンA 206、ゾーンB 204、ゾーンC 202、およびゾーンD 208のようないくつかの広告ゾーンに分割されたものであり得る。各広告ゾーンは、MADDがそのゾーン内にある間に優先的に表示されるべき1つまたは複数の広告と関連付けられ得る。したがって、MADD 108がある特定のゾーンにあるとMADD 108が判定すると、MADD 108は、そのゾーンと関連付けられ電子ディスプレイに提示された広告を、メモリから呼び出すことができる。たとえば、図2Aは、MADD 108がゾーンA 206に位置する例を示す。したがって、MADD 108は、ゾーンA 206と関連付けられる広告を表示することができる。MADD 108を運ぶ車両が別の領域に、たとえば図2Bに示されるようにゾーンC 202に移動すると、ディスプレイに提示される広告は、ゾーンC 202と関連付けられる広告に変化する。
【００１９】
MADD 108に提示される広告を出す業者の目的および戦略に適切なやり方で、広告領域またはゾーンは確立されてよく、サイズが変わってよい。密集した市街地の中では、ゾーンは、単一のブロックまたはブロックの一部のように、非常に狭くてよい。これは、広告主が地域的な顧客基盤を有するレストラン(たとえば、惣菜店またはコーヒーショップ)である場合に特に適切であることがあり、この場合、広告主は、広告を見ている消費者が、たとえば短距離を歩くことでその施設を訪れることができる場合にのみ、広告に対して支払うことができる。一部の広告主は、複数のブロックまたはある地区のような、より広い関心ゾーンを有し得る。他の広告主は、特定の位置に限定されない製品または業者(たとえば、航空会社、消費財、保険など)の広告のように、単一の広告が広い領域内で適切であり得る地域的な広告戦略を有し得る。また、MADD 108が長距離を移動する車両に配置される場合、適切な広告ゾーンは、国または州のサイズであってよい。
【００２０】
図2Aおよび図2Bに示されるように、広告ゾーンは重複してよい。たとえば、図は、ゾーンA 206とゾーンC 202が重複するのを示す。MADD 108がそのような重複領域内にある場合に表示に適切な広告を選択するために、MADDコンピューティングデバイス(または、広告通信システム100の他の部分)内で様々な規則が実施され得る。MADD 108は、様々な広告および/または広告ゾーンに割り当てられた優先度に基づいて、現在のゾーン内で表示するための広告を選択することができる。この優先度は、広告、ゾーン、時刻、およびこれらの組合せに対して割り当てられ得る。たとえば、ある広告ゾーンは、隣接する広告ゾーンよりも高い優先度を恒久的に有してよく、または、重複する広告ゾーンのうちの1つの広告ゾーンが、MADD 108が重複領域に入る度に表示する広告を定めるためにランダムに選択されてよい。別の例として、重複の領域に入っても、車両が重複領域から出て第2のゾーンに入るまで、第1のゾーンに適切な広告を表示するMADD 108が広告を変更できないように、規則が設定され得る。この例示的な規則によって、第1のゾーン内に残っている車両は、重複領域内を移動している場合でも、同じ広告を継続的に表示できるようになる。様々な他の規則が、恒久的な優先権または規定された回数のみの優先権を有するより小さい領域などの、重複ゾーンに対して実施され得る。
【００２１】
いくつかの場合には、1つの広告ゾーンは、ゾーンB 204がゾーンC 202の内側に位置することを示す図2Aに示されるように、別の広告ゾーンに全体が包囲されていてよい。そのような状況では、包囲された広告セルは、より大きいゾーンに対して優先権を有し得る。このことの良い例が、惣菜店またはコーヒーショップを囲む広告ゾーンであり、その広告ゾーンの中で、広告は、施設の徒歩圏内にいる消費者が広告を見る場合にのみ表示される。MADD 108を運ぶ車両が、惣菜店またはコーヒーショップの範囲外にある場合、近隣と関連する広告が適切であり得る。
【００２２】
さらなる態様では、MADD 108上での提示のために選択される広告は、現在の時間に依存し得るので、種々の広告が時刻に基づいて提示される。時刻による広告の選択は、広告ゾーンと組み合わされ得るので(すなわち、地理に基づく選択)、表示される特定の広告は、消費者の位置および現在の時間に基づいて、消費者の関心に対して綿密に調整され得る。図3Aは、複数の異なる広告が様々な広告ゾーンおよび時刻にどのように割り当てられ得るかを示す。表300は、7つの異なる広告の1つが、時刻に基づいて、24時間の周期を通して4つの広告ゾーン(すなわち、ゾーンA〜D)の各々において表示され得る例を示す。たとえば、午前4時にゾーンAに位置するMADD 108は、表示のために広告1(Ad1)を選択できるが、午前6時にゾーンDに位置するMADD 108は、広告7(Ad7)を表示する。MADD 108が正午にゾーンAに戻ると、MADD 108は表示のために広告2(Ad2)を選択することができる。MADD 108が長期間所与の広告ゾーンにとどまっている場合、表示される広告は、広告主によって規定されるように、時刻とともに変化し得る。図3Aに示されるように、使用される時間は、MADD 108が位置する適切な時間であり得る。表300は、各広告ゾーンにおいて、任意の所与の時間に対して単一の広告を示すのみであるが、複数の広告が、各広告ゾーンおよび時刻に割り当てられ得るので、広告主の希望に応じて、複数の広告が並んでまたは続けて提示され得る。
【００２３】
図3Aは、表示のために選択された広告がMADD 108との継続的な通信を伴わずに広告主によって事前に制御され得るように、コンピューティングデバイスによって使用されるべき広告選択基準を各MADD 108に伝えるために様々な態様において実装され得る、例示的なデータ構造を示す。複数の広告および広告選択基準表300がMADD 108のメモリにダウンロードされると、MADDコンピューティングデバイス108は、現在の位置および時間に基づいて、適切な広告の選択を行う。このデータ構造はまた、複雑な地理に基づく広告戦略が、どのように簡潔なやり方で実施され得るかを示す。一日の間の異なる広告、広告ゾーン、および広告時間帯の数は、非常に膨大であり得る。どの程度の異なる広告が異なる位置および時間帯に提示され得るかについての唯一の現実的な制約は、MADD 108コンピューティングデバイスのメモリであり得る。表300は、様々な態様に適したデータ構造の一例にすぎず、種々の既知のデータ構造も、実質的に同様の機能を達成するために使用され得ることを、当業者は理解するだろう。
【００２４】
MADD車両が、様々な時刻に基づいて種々の広告を提示する複数の広告ゾーンを移動すると、ディスプレイに提示される広告は、頻繁に変わり得る。図3Bは、図3Aに示されるグラフ350において示される広告選択表300を実施する、タクシーのような移動しているMADD 108によって表示される広告の順番の例を示す。グラフ350は、MADD 108が、図3Aの表300に列挙された位置および時間の基準に基づいて広告を選択しつつ、時間とともに広告ゾーンA〜Dを移動するに従って提示される、広告の例示的な順番を示す。
【００２５】
広告が表示される時間の長さは、事前に決められていてよく、または、MADD 108が特定のゾーンの中にある時間の長さに基づいて変化してよい。たとえば、グラフ350は、広告2(Ad2)を2回表示するMADD 108を示す。この状況は、MADD 108が長時間ゾーンAにあったことによるものであり得る。あるいは、広告2の二回目の発生は、新たなまたは変更された広告であり得る。新たなまたは変更された広告を表示するためのMADD 108を更新するためのいくつかの態様の方法が、以下で論じられる。
【００２６】
図4は、MADD 108上で広告を表示するためのある態様の方法400を示す。方法400では、ブロック402において、MADD 108は、受信された広告を場所および時間と関連付ける表(または他のデータ構造)とともに、複数の広告を受信またはダウンロードすることができる。広告は、画像(たとえば、TIF、JPEG、PDFなど)、テキストファイル、および実行可能ファイル(たとえば、HTMLコード、JavaScript(登録商標)など)を含む、コンピューティングデバイス可読の任意のグラフィカルな形式で、ダウンロードまたは記憶され得る。広告選択基準表は、図3に示される表と同様であってよく、または、種々の他のタイプのデータ構造のいずれかであってよい。MADD 108は、図1に示されるワイヤレスデータリンク124のようなワイヤレス接続を通じて、広告および選択基準表を受信することができる。加えて、または代替的に、MADD 108は、有線ネットワーク接続(たとえば、コンピュータへのUSB接続)から、あるいは、物理的な媒体、たとえば、MADDコンピューティングデバイスに差し込まれたUSB FLASHドライブ、コンピューティングデバイスに結合された適切なドライブにロードされたCD-ROM、DVD、もしくはブルーレイディスク、または他の電子記憶媒体から、広告および/または広告選択基準表を受信することができる。さらに、MADD 108は、ある媒体(たとえば、適切なドライブにロードされたCD-ROM、DVD、またはブルーレイディスク)を通じて広告を受信し、ワイヤレス接続のような別の媒体を通じて広告選択基準表を受信することができる。
【００２７】
ブロック404において、MADD 108は、種々の既知の技法を使用して、ブロック404において、現在の場所および現在の時間を決定することができる。現在の場所は、最も近いWi-Fiホットスポット、最も近い携帯電話アクセスモードID、MADD 108に含まれるGPS受信機によって提供される情報、およびこれらの技法の組合せに基づいて決定され得る。現在の時間は、MADD 108のローカル時計、GPS受信機から受信される時計信号、または、ネットワーク接続(たとえば、携帯電話ネットワーク)からの時計信号に基づいて決定され得る。
【００２８】
ブロック406において、MADD 108は、決定された場所および時間に基づいて広告を選択することができる。MADD 108は、ブロック402において受信またはダウンロードされた表において、場所または時間と関連付けられる広告を選択することができる。MADD 108は、ブロック408において、選択された広告を表示することができる。この処理は、MADDのプロセッサがブロック404に戻ってその場所および時間を決定し、ブロック406および408を繰り返すことによって適切な広告を選択し表示することによって、ループとして周期的に繰り返され得る。
【００２９】
図5Aは、ある態様の方法500を示す。方法500は、近隣のモバイルデバイス106と対話する動作が追加された、図4を参照して上で説明された方法400と同様の方法である。ブロック512において、MADD 108は、複数の広告と、広告を場所、時間、およびユーザデータと関連付ける広告選択基準表とを、受信またはダウンロードすることができる。ブロック512における動作は、広告選択基準表が広告をモバイルデバイスのユーザデータとも関連付け得るということを除いて、ブロック402に関して上で説明された動作と同様に実行され得る。そのようなモバイルデバイスのユーザデータは、MADD 108の近隣にいる特定のモバイルデバイスのユーザに関連する、提示する広告を選択するためのさらなる基準を提供することができる。そのようなモバイルデバイスのユーザデータは、(ユーザによって認証され得る)人口統計上の種別情報を含み得る。ブロック404において、MADD 108は、方法400に関して上で説明されたように、現在の場所および時間を決定することができる。
【００３０】
MADD 108は、ブロック514において、1つまたは複数のモバイルデバイス106とのワイヤレス通信リンクを確立することができる。上で論じられたように、このワイヤレス通信リンクは、Bluetooth(登録商標)、Wi-Fi、FlashLinqなどのような、任意の既知のワイヤレス通信リンクであってよい。一態様では、このワイヤレス通信リンクの範囲は、そのように接続されたモバイルデバイスのユーザが広告ディスプレイを見ることができる可能性が高い範囲に限定される。ブロック516において、MADD 108は、あらゆる接続されたモバイルデバイス106からユーザデータを受信することができる。ユーザデータは、MADD 108の視界の範囲内にいる消費者または人口統計上の集団を特定する際に広告主にとって有用であり得る、種々の人口統計上の種別情報を含み得る。たとえば、そのようなユーザデータは、年齢、性別、結婚歴、趣味、関心、政党、またはユーザの他の人口統計上の特徴を含み得る。そのようなユーザデータは、カスタマーロイヤリティプログラム(たとえば、広告主のカスタマーロイヤリティプログラム)、公的データベース、およびソーシャルネットワークデータベース(たとえば、Facebook(登録商標)、LinkedIn(登録商標)など)のような、第三者のデータベースによって提供されてよく、または第三者のデータベースから取得され得る。
【００３１】
さらなる例として、ユーザデータは、そのような可動広告システムと通信する目的でユーザがモバイルデバイスに入力したユーザ選好、たとえば、好みのレストランまたは食べ物の種類、クーポンを受け取ることについての関心、小売商のロイヤリティプログラムの会員権などを含み得る。このユーザデータは、たとえばそのようなデータを要求するメッセージに応答して、接続した後、モバイルデバイス106上のメモリに記憶され、MADD 108に送信され得る。あるいは、ユーザデータは、プロンプトに応答して、または独立に、たとえば、ユーザがコマンドキーを押して、もしくはメニューオプションを選択して、そのような情報の送信を開始することによって、ユーザによってアクティブに送信され得る。
【００３２】
ブロック518において、MADD 108は、決定された場所、時間、およびあらゆる受信されたユーザデータに基づいて、たとえば、そのようなユーザデータを、ブロック512において受信またはダウンロードされた表に列挙される広告選択基準と比較することによって、広告を選択することができる。MADD 108は、ブロック408において、選択された広告を表示することができる。この処理は、上で説明されたようなブロック404から408を繰り返すことによって、現在の位置、時間、および収集されたユーザデータに基づいて、ブロック404に戻ることで周期的に繰り返され得る。
【００３３】
図5Bは、MADD 108と通信するモバイルデバイス106を示す。モバイルデバイス106がMADD 108とのワイヤレス通信範囲内にある場合、ワイヤレス通信リンク116が自動的に開始され得る。ワイヤレス通信範囲は、通信リンク116のタイプおよび構成による。たとえば、Bluetooth(登録商標)通信リンクは比較的短い範囲を有し得るが、Wi-Fi通信リンクはより長い範囲を有し得る。別の例として、FlashLinq(商標)通信リンクが、より長い範囲の通信リンクを確立するために使用され得る。FlashLinqは、広い発見の範囲(最大1キロメートル)、大きな発見の容量(数千の近隣デバイス)、および分散された干渉の管理を特徴とする、専用の認可された帯域で動作する、同期時分割複信直交周波数分割多元接続(TDD OFDMA)技術である。数千の近隣デバイスを同時に発見しそれらと同時に通信するのを可能にすることで、FlashLinq(商標)は、固定のまたは可動のピアアプリケーションが直接対話することができる、「近隣エリアネットワーク」を実質的に作り出すことができる。ワイヤレス通信リンクが確立されると、モバイルデバイス106は、いくつかの方法で応答することができる。一態様では、モバイルデバイス106は、ユーザがMADD 108との接続を望むかどうかを尋ねるプロンプト520をディスプレイに表示することができる。図5Bに示される態様では、MADD 108は、ユーザがプロンプト520において容易に認識できる、広告されているブランドによって識別され得る。ユーザは、「はい」522を入力してMADD 108との接続を認証することができ、または「キャンセル」524を入力して接続の試行を止めることができる。
【００３４】
複数のプロンプトを受信することは迷惑になり得るので、ユーザは、(たとえば、ホテル、空港、イベントなどの近隣で起こり得るように)特にいくつかのMADD 108がある領域では、自動的にプロンプトを提示されるのを好まないことがある。したがって、いくつかの態様は、ユーザがそのようなプロンプトモードを有効にまたは無効にするのを可能にするように構成される、モバイルデバイス106を含み得る。プロンプトモードがオンである場合、モバイルデバイス106は、MADD 108からの連絡を受けると、プロンプト520を表示することができる。
【００３５】
さらなる態様は、ユーザが、近隣のMADD 108と手動で接続することを可能にし得る。ユーザは、MADD 108を見て、表示されている広告に関心を持つことがある。そのような態様では、ユーザは、モバイルデバイス106上で利用可能な接続のリストから、MADD 108を選択することができる。利用可能な接続のこのリストは、近隣のMADD 108からのリンク確立要求を受信する際、モバイルデバイスによって生成され得る。そのようなユーザ入力を受信したことに応答して、モバイルデバイス106は、プロンプト520を表示して、ユーザが接続を確認することを可能にできる。
【００３６】
さらなる態様は、ユーザ認証の必要なく、範囲内の任意のMADD 108にモバイルデバイスを自動的に接続することができる。ある態様では、モバイルデバイス106は、ユーザがそのような自動モードを切り替え、有効にし、または無効にするのを可能にするように構成され得る。
【００３７】
MADD 108に表示される広告は、時間に基づいて選択され得るので、たとえば、朝には朝食の特別メニューを広告し、夕方には夕食の特別メニューを広告するなど、広告は、特に関連があると消費者が考え得るものになるように調整され得る。たとえば、図5Bに示されるように、MADD 108は、特別メニューが午後10時から午後11時に利用可能であることを示し得る。現在の時間が時間ウィンドウ526において示されるように午後10:05である場合、ユーザは、特別メニューのオファーを利用しようという気になり得る。
【００３８】
MADD 108は自身の場所を決定するので、この情報も、表示される広告の一部として、広告される業者への道順を表示するために使用され得る。この態様が図5Bに示されており、図5Bにおいて、広告は、広告されている業者が1ブロックしか離れていないことをオンラインで含める。さらなる例として、MADD 108が業者の位置へ行く方法を有する場合、MADD 108は、現在の場所から広告を出している業者までの、徒歩または運転による道順を、決定し表示することができる。たとえば、表示される広告は、「1ブロック東および1ブロック北」または「Main通りを東に進みKing通りで左折」のような道順を含み得る。そのような道順は次いで、MADD 108が移動するに従って、新たな場所に一致するように更新される。
【００３９】
いくつかの態様では、広告および広告選択基準は、MADD 108に対して事前にダウンロードされていてよいが、他の態様では、この情報は、任意の時点でMADD 108にワイヤレスにダウンロードされてよい。これによって、広告主が望み得るように、広告を更新し、さらには広告選択基準を更新することが可能になり得る。さらなる態様では、デバイスに事前にロードされた広告を上書きするために、または、広告をすべて記憶する必要をなくすために、MADD 108の場所および時間に適切な広告が、広告サーバからダウンロードされ得る。MADD 108がすでにメモリ中に広告を記憶している場合、たとえば、広告サーバが以前に広告を送信していた場合、広告自体を送信するのではなく、新たなまたは割り込み型の広告選択基準表を送信することによって、広告方式に対するローカルな変更を実施することが、より効率的であり得る。
【００４０】
図6Aは、MADD 108が広告サーバ104から広告を受信する、MADD 108上で広告を表示するためのある態様の方法600を示す。MADD 108は、ブロック602において、現在の場所を決定し、ブロック604において、決定された場所を広告サーバ104に送信することができる。この通信は、確立されたワイヤレス通信リンク(たとえば、セルラーデータリンクまたはWi-Fiネットワーク)によるものであり得る。判定ブロック606において、MADD 108は、通信リンクを監視して、広告が広告サーバ104から受信されたかどうかを判定することができる。MADD 108が広告サーバ104から広告を受信すると(すなわち、判定ブロック606=Yes)、MADD 108は、ブロック608において、受信された広告を表示することができる。
【００４１】
MADD 108が即時の表示のための広告を受信しない場合(すなわち、判定ブロック606=No)、判定ブロック610において、MADD 108は、MADD 108にすでに記憶されている広告を選択するための広告選択命令(たとえば、更新されたまたは割り込み型の広告選択基準表)をMADD 108が受信したかどうかを、判定することができる。MADD 108が広告サーバ104から広告選択命令を受信する場合(すなわち、判定ブロック610=Yes)、MADD 108は、ブロック614において、その命令を実施して、即時の表示のために記憶するのに適切な広告を選択することができる。一方、MADD 108が広告サーバから新たな広告選択命令を受信しない場合(すなわち、判定ブロック610=No)、ブロック612において、MADD 108は、図4および図5を参照して上で説明されたように、表示する広告を選択することができ、この広告はデフォルトの広告であると考えられ得る。あるいは、デフォルトの広告は、利用可能な広告空間としてMADD 108自体を広告することができ、これは、広告がメモリに記憶されていない場合のデフォルトの状態であり得る。
【００４２】
図6Bは、表示しMADD 108に送信する広告を選択するための、広告サーバ104のようなサーバにおいて実施され得るある態様の方法650を示す。広告サーバ104は、ブロック652において、スポンサーサーバから複数の広告を受信することができる。これらの広告は、MADD 108上で広告を出すことを望む業者からのものであり得る。業者は、スポンサーサーバ110を有し得る。スポンサーサーバは、たとえば、ネットワーク接続122を通じて、またはインターネット112を介して、広告サーバ104に広告を送信することができる。
【００４３】
広告サーバは、ブロック654において、各受信された広告を地理的な領域および時間と関連付けることができる。これらの関連付けは、図3Aを参照して上で説明された例示的な広告選択基準表300のようなデータ構造へと編成され得る。したがって、この動作は、定義された地理的ゾーン内で、特定の広告を規定された時間に割り当てることを伴い得る。しかしながら、関連付けは、広告主によって要求され得る任意の形式であってよく、任意の形式のデータ構造で体系化されてよい。広告/位置/時間の関連付けは、広告営業上の合意、または、業者またはスポンサーサーバ110からの要求において定義され得る。たとえば、業者は、午後6時から午前12時までゾーンAで広告を表示させるように契約していることがある。さらに、広告サーバが、その業者のスポンサーサーバ110からその特定の広告を受信すると、広告は、午後6時から午前12時までゾーンAと関連付けられ得る。
【００４４】
広告サーバ104は、ブロック656において、MADD 108の場所を受信することができる。広告サーバは、ブロック658において、受信された場所および現在の時間を使用して、即時の表示に適切な広告を選択することができる。広告サーバ104は、ブロック654において生成された関連付けを利用して、広告を選択することができる。
【００４５】
広告サーバ104は、判定ブロック660において、選択された広告がMADD 108にローカルに記憶されているかどうかを判定することができる。広告サーバが、ローカルメモリへの記憶のために、選択された広告をMADDに以前送信していた場合、選択された広告は、MADD 108に記憶される。選択された広告がMADD 108に記憶されている場合(すなわち、判定ブロック660=Yes)、ブロック664において、広告サーバ104は、選択された広告を表示するようにMADD 108に命令する広告選択命令を、MADD 108に送信することができる。選択された広告がMADD 108にローカルに記憶されていないとサーバ104が判定する場合(すなわち、判定ブロック660=No)、ブロック662において、広告サーバ104は選択された広告をMADD 108に送信することができる。この処理は、サーバ104がブロック656に戻ってMADDから受信されるさらなる場所報告を監視することによって、ループとして継続し得る。
【００４６】
図7Aは、モバイルデバイスと対話するためのブロックを(図6Aを参照して上で説明された)方法600と組み合わせる、MADD 108上で広告を表示するためのある態様の方法700を示す。方法700において、MADD 108は、ブロック602において、現在の場所を決定することができる。MADD 108は、ブロック704において、範囲内のあらゆるモバイルデバイス106と接続し、ブロック706において、あらゆる接続されたモバイルデバイス106からユーザデータを受信することができる。MADD 108は、ブロック708において、その場所とともに、あらゆる受信されたユーザデータを広告サーバに送信することができる。やはり、情報のこの送信は、確立されたワイヤレス通信リンク(たとえば、携帯電話データリンク、Wi-Fi、FlashLinq(商標)など)によって実現され得る。
【００４７】
判定ブロック606において、MADD 108は、MADD 108が広告サーバ104から広告を受信したかどうかを判定することができる。MADD 108が広告サーバ104から広告を受信している場合(すなわち、判定ブロック606=Yes)、MADD 108は、ブロック608において、受信された広告を即座に表示することができる。
【００４８】
MADD 108が広告を受信していない場合(すなわち、判定ブロック606=No)、判定ブロック610において、MADD 108は、MADD 108にすでに記憶されている広告を表示するための広告選択命令をMADD 108が受信しているかどうかを判定することができる。MADD 108が広告サーバ104から広告選択命令を受信する場合(すなわち、判定ブロック610=Yes)、MADD 108は、ブロック614において、受信された選択命令を使用して、メモリから適切な広告を選択し、広告を表示することができる。MADD 108が広告サーバから広告選択命令を受信していない場合(すなわち、判定ブロック610=No)、ブロック612において、MADD 108は、図4および図5を参照して上で説明された方法を使用することなどによって、表示のためにデフォルトの広告を選択することができる。やはり、この処理は、たとえば、MADDのプロセッサがブロック602に戻り、MADD 108の現在の場所を更新することによって、ループとして周期的に実行され得る。
【００４９】
図7Bは、広告サーバがMADD 108から受信されたモバイルデバイスのユーザデータを考慮できるということが追加された、図6Bを参照して上で説明された方法650と同様の、広告サーバにおいて実施され得るある態様の方法750を示す。図6Bを参照して上で説明されたように、広告サーバ104は、ブロック652において、複数の広告を受信することができる。これらの広告は、MADD 108上で広告を出すことを望む業者からのものであり得る。広告サーバは、ブロック754において、各受信された広告を地理的な領域、時間、および/またはターゲットのユーザデータと関連付けることができる。
【００５０】
広告サーバ104は、ブロック756において、MADD 108の場所と、MADD 108に接続されたモバイルデバイス106から収集されたあらゆるユーザデータとを受信することができる。広告サーバは、ブロック758において、受信された場所およびユーザデータ、さらには現在の時間を使用して、広告を選択することができる。
【００５１】
判定ブロック660において、広告サーバ104は、選択された広告がMADD 108にローカルに記憶されているかどうかを判定することができる。上で説明されたように、この判定は、選択された広告が以前MADD 108に通信またはダウンロードされたことがあるかどうかに基づき得る。選択された広告がMADD 108に記憶されていると広告サーバが判定する場合(すなわち、判定ブロック660=Yes)、広告サーバ104は、ブロック664において、選択された広告を表示するための広告選択命令を、MADD 108に送信することができる。選択された広告がMADD 108にローカルに記憶されていない場合(すなわち、判定ブロック660=No)、ブロック662において、広告サーバは選択された広告をMADD 108に送信することができる。やはり、方法750は、たとえば、サーバ104がブロック756に戻り、可動広告ディスプレイデバイスからさらなる場所の更新およびユーザデータを受信することによって、周期的に実行され得る。
【００５２】
図7Cは、たとえばより多くの情報、クーポンなどに対するモバイルデバイスのユーザからの要求に、広告サーバが応答することを可能にする、広告サーバにおいて実施され得る別の態様の方法770を示す。方法770では、広告サーバ104は、ブロック652において、複数の広告を受信することができる。広告サーバは、ブロック754において、各受信された広告を地理的な領域、時間、またはターゲットのユーザデータと関連付けることができる。
【００５３】
広告サーバ104は、ブロック756において、MADD 108の場所と、MADD 108に接続されたモバイルデバイス106から収集されたあらゆるユーザデータとを受信することができる。広告サーバ104は、判定ブロック772において、情報またはクーポンに対するユーザからの要求を任意の受信されたユーザデータが含むかどうかを判定することができる。ユーザ要求は、広告されている業者または製品についてのより多くの情報に対する要求、業者への道順に対する要求、クーポンに対する要求、または、広告されている機会に対する応答(たとえば、モバイルデバイス上で実行されているウェブブラウザを介して製品をオンラインで注文する機会)を含み得る。
【００５４】
受信されたユーザデータがユーザ要求を含まない場合(すなわち、判定ブロック772=No)、広告サーバはブロック758に進み、図7Bを参照して上で説明されたような方法750と一致するように、方法770を完了することができる。受信されたユーザデータがユーザ要求を含む場合(すなわち、判定ブロック772=Yes)、広告サーバ104は、ブロック774において要求に応答してから、ブロック758に進み図7Bを参照して上で説明されたような方法750と一致するように方法770を完了することができる。ブロック774で生成された要求に対する応答は、要求に基づいて変化し得る。たとえば、ユーザは、MADD 108で広告されているクーポンに関心があり得る。ユーザは、モバイルデバイスを使用して、MADD 108と接続し、ユーザデータを送信することの一部として、クーポンに対する要求を送信することができる。MADD 108は、要求を含む受信されたユーザデータを、広告サーバに渡すことができる。広告サーバは、取引のためのクーポンをユーザに送信することによって、要求に応答することができる。このクーポンは、ワイヤレス通信ネットワークを通じて、ユーザのモバイルデバイス106に直接送信され得る。あるいは、クーポンは、確立されたローカルのワイヤレス通信リンクを通じて、MADD 108に転送され、要求しているモバイルデバイス(または、領域中のすべてのモバイルデバイス)に配信され得る。
【００５５】
別の例では、ユーザは、広告の主題についてのより多くの情報を要求することができる。そのような状態におけるユーザに対する応答は、業者のウェブサイト上のメニューのような、要求されたリソースにユーザを案内するための、URLまたは同様のアドレスであり得る。
【００５６】
この態様の方法では、広告サーバが要求に応答するが、さらなる実施形態では、MADD 108が、広告サーバ104の代わりにそのような要求に応答することができ、または、MADD 108と広告サーバ104の両方が、異なるタイプの要求に応答することができる。MADD 108が広告を受信し、要求に応答してこれらのリソースをユーザに与える時、MADD 108は、クーポン、リンク、または他のデータなどの、関連するリソースを受け取ることができる。
【００５７】
図7Dは、ワイヤレス通信システム102を介して広告サーバから受信されたユーザ要求に対する可能性のある応答のモバイルデバイスのディスプレイを示す。示されているディスプレイは、たとえばユーザが図5Bのプロンプト520に対して「はい」522と応答する場合に、MADD 108との通信リンクを可能にすることに応答して、モバイルデバイス106によって受信され得るものの例である。この肯定的な入力は、一般的なユーザ要求として、MADD 108から広告サーバに伝えられ得る。要求が情報に対する一般的な要求である場合、ユーザは、選択すべき選択肢のリスト780を与えられ得る。この例では、表示の選択肢は、クーポン782を受信するための選択肢、業者のメニュー784を受信するための選択肢、および、業者への道順786を受信するための選択肢を含む。そのような実装形態では、モバイルデバイスはまた、表示された選択肢を命令と結びつけるアプリケーションまたは実行可能ソフトウェアによって構成され得るので、ユーザは、タッチスクリーンを押すことによって、これらの選択肢のうちの1つを選択して対応する情報を受信することができ、それに応答して、モバイルデバイスは、ワイヤレス通信システム102を介して適切な通信を適切なサーバに送信する。たとえば、モバイルデバイス106は、モバイルデバイス106にクーポンを返信するために広告サーバが使用するのと同じ通信システム102を介して、クーポンに対する要求を広告サーバ104に送信することができる。
【００５８】
図7Eは、情報に対する要求がMADD 108に向けられたことで生じ得る、別の態様のディスプレイを示す。たとえば、ユーザが図7Dに示されるリスト780から「クーポン」782を選択した場合、MADD 108は、確立されたワイヤレス通信リンク116を介して、クーポン790をモバイルデバイス106に送信することができる。電子クーポン790は、クーポンをどのように引き換えるかについて説明する情報、たとえば、住所または時間帯を含み得る。クーポン790はまた、バーコード792、またはクーポンを引き換える際に使用する他の形式の識別情報を含み得る。
【００５９】
図5B、図7D、および図7Eは、様々な態様に従ってモバイルデバイス上に提示され得る、例示的な表示および情報にすぎないものとして意図されている。代替的な態様では、モバイルデバイスのディスプレイは、MADD 108から送信される選択肢780のリスト、または、広告サーバ104からの他の情報を提供することができる。さらなる態様は、ユーザ要求に応答して、様々な他の情報源(インターネットを介してアクセスされる情報源を含む)から、モバイルデバイス上で表示する、かつモバイルデバイスが使用する、様々なタイプの情報を提供することができる。
【００６０】
広告サーバは、広告と、MADD上で実装される広告選択基準とを、継続的に更新するように構成され得る。図8は、MADD 108上で表示される広告を更新するための、ある態様の方法800を示す。広告サーバ104は、ブロック652において、複数の広告を受信することができる。これらの広告は、MADD 108上で広告を出すことを望む業者からのものであり得る。広告サーバは、ブロック754において、各受信された広告を地理的な領域、時間、またはサンプルユーザデータと関連付けることができる。
【００６１】
広告サーバ104は、ブロック756において、MADD 108の場所と、MADD 108に接続されたモバイルデバイス106から収集されたあらゆるユーザデータとを受信することができる。広告サーバは、ブロック758において、受信された場所およびユーザデータ、さらには現在の時間を使用して、広告を選択することができる。
【００６２】
広告サーバ104は、判定ブロック660において、選択された広告がMADD 108にローカルに記憶されているかどうかを判定することができる。選択された広告がMADD 108に記憶されている場合(すなわち、判定ブロック660=Yes)、ブロック664において、広告サーバ104は、選択された広告を表示するための命令をMADD 108に送信することができる。選択された広告がMADD 108にローカルに記憶されていない場合(すなわち、判定ブロック660=No)、ブロック662において、広告サーバは選択された広告をMADD 108に送信することができる。
【００６３】
広告サーバ104は、ブロック802において、任意の新たなまたは更新された広告を受信することができる。広告サーバ104は、ブロック804において、任意の新たなまたは更新された広告を地理的な領域、時間、またはサンプルユーザデータと関連付けることができる。ブロック758および662が繰り返される場合、新たなまたは更新された広告は、選択およびMADD 108への送信に利用可能であり得る。
【００６４】
新たなおよび更新された広告を許可することによって、業者または他の広告スポンサーは、公衆に対するメッセージをリアルタイムで調整することができる。たとえば、レストランは、MADD広告を、空いているテーブルの数によって継続的に更新することができる。宣伝を事前に注意深く計画することを必要とすることなく、クーポンは、レストランの実際の状況、たとえば空いている利用可能なテーブルの数に基づいて、自発的に生成され得る。そのような動的なクーポンは、短期間だけ利用可能または有効にされ得る。たとえば、夜間の客足が予想外に少ないバーは、次の20人の客のための、または次の1時間有効な、飲み物の特別メニューのクーポンを付けてMADD広告を投稿することができる。MADDに表示される広告は地理的な領域に基づき得るので、業者は、これらの限定された待遇を、すでに適切な領域にいる人々に合わせることができる。それは、そのような人々だけが、表示された広告を見るであろうからである。
【００６５】
別の例として、誘拐速報または竜巻警報のような、ニュース速報または公衆安全についての告知が、リアルタイムでMADD 108に表示され得る。これらの告知は、特定のゾーンを対象とし、通常の広告の代わりに迅速に更新され得る。公的な告知の場合、この態様は広告と同じく機能するが、表示の情報源は企業体ではなく行政機関であり得る。
【００６６】
ある態様では、可動広告ディスプレイデバイスは、ナンバープレートの形式であってよい。そのようなMADD 108は、公務執行の目的でナンバープレートの番号を追跡する必要があるような場合には、車両のナンバープレートの番号を表示することができる。ナンバープレートの番号が必要とされない場合は、MADD 108は、広告などの他の画像を表示することができる。そのような態様では、ホスト車両が行方不明である、または犯罪に関与しているものとして報告された場合、MADD 108は、表示を変更するように、広告サーバなどによって遠隔で制御され得る。MADD 108上の新たな表示は、盗まれた車両、逃走中の車両、または未処理の違反切符のある車両を、警察官が迅速に識別するのを助けることができる。
【００６７】
そのような可動広告デバイスは、MADDを搭載する十分な空間のある任意車両において利用され得る。たとえば、図1および図19は、タクシーに搭載されたMADD 108を示すが、MADDは様々な他の場所に配置され得る。たとえば、MADDは、列車、バス、またはトラクタートレーラーの頂部または側面に配置され得る。町を運転する間に広告収入を得るために、私人が個人所有の車両にMADDを搭載してもよい。
【００６８】
可動広告のスポンサーである業者は、MADD 108に広告空間を提供することに対して、広告主に支払いを行うことができる。車両にMADD 108を搭載する業者または個人も、広告サービスを提供することに対して対価を受けることができる。車両にMADD 108を搭載することに対して与えられる対価は、段階的であり得る。たとえば、広告主は、単に広告を表示することに対して、基本料を支払われ得る。そのような可動広告主は、広告主が車両を運行している広告ゾーンおよび時間に応じて、より多くの金額を支払われ得る。たとえば、いくつかの広告ゾーンは、広告を見ることができる消費者がより多く、または、消費者が広告されている製品またはサービスに対してより多く支払う可能性が高いので、対価がより大きくてよい。さらなる態様では、広告主は、消費者またはモバイルユーザが広告とどのように関わるようになったかに応じて、より多くの金額を支払われ得る。たとえば、消費者がモバイルデバイスを介して広告または広告サーバと対話できる実装形態では、この対話を開始したMADD 108を有する車両の運営者は、追加の対価を受け取ることができる。広告の対価に対するこの段階的な手法に関与する様々な態様の方法が、以下で論じられる。
【００６９】
図9Aは、MADD 108上に広告を表示することに対して、第1の額の請求書を送るためのある態様の方法900を示す。MADD 108は、ブロック602において、現在の場所を決定し、ブロック604において、決定された場所を広告サーバ104に送信することができる。MADD 108は、判定ブロック606において、広告サーバ104から広告を受信することができる。MADD 108が広告サーバ104から広告を受信する場合(すなわち、判定ブロック606=Yes)、MADD 108は、ブロック908において、表示の間様々な状態または事象を記録しつつ、受信された広告を表示することができる。これらの状態または事象は、MADD 108に関連する様々なタイプの情報または表示される広告を含み得る。たとえば、MADD 108は、広告を表示している間のMADD 108の位置、広告が表示された時間の長さ、広告の開始時間、または、広告が表示されていた間にモバイルデバイスに対して確立されたワイヤレスデータリンクの数もしくはリストを記録することができる。
【００７０】
MADD 108が広告を受信しない場合(すなわち、判定ブロック606=No)、判定ブロック610において、MADD 108は、MADD 108にすでに記憶されている広告を表示するための命令を受信することができる。MADD 108が広告サーバからの命令を受信しない場合(すなわち、判定ブロック610=No)、MADD 108は、ブロック912において、表示の間、MADDの様々な状態を記録しつつ、デフォルトの広告を表示することができる。MADD 108が広告サーバ104からの命令を受信する場合(すなわち、判定ブロック610=Yes)、MADD 108は、ブロック914において、表示の間、MADDの様々な状態を記録しつつ、命令によって指示される広告を表示することができる。
【００７１】
ブロック908、912、または914において広告を表示している間、またはその後、MADDは、ブロック902において、あらゆる記録された状態に基づいて、表示された広告と関連付けられる、第1の額の請求書を生成することができる。この請求書は、電子請求書であってよく、または、会計システム、ケーブル、またはデータベースにおいて行われる仕訳記入ほど単純であってよい。あらゆる記録された状態に基づいて送られる請求書の金額は、変わり得る。たとえば、広告が長時間表示された場合、請求される額は高くてよく、または、MADDが表示時間の大半において静止していた場合、請求される額は少なくてよい。広告を出した会社に請求する額、または他のやり方で課金する額を決定する際に、複数の条件が要因となり得る。
【００７２】
図9Bは、可動広告デバイスの運営者の口座に貸方計上し、かつその口座に借方計上するために、広告サーバのようなサーバにおいて実施され得るある態様の方法950を示す。上で説明されたように、広告サーバ104は、ブロック652において、複数の広告を受信することができ、ブロック654において、各受信された広告を地理的な領域および時間と関連付けることができる。広告サーバ104は、ブロック656において、MADD 108の場所を受信することができる。広告サーバは、ブロック658において、受信された場所および現在の時間を使用して、広告を選択することができる。広告サーバ104は、ブロック654において生成された関連付けを利用して、広告を選択することができる。
【００７３】
広告サーバ104は、判定ブロック660において、選択された広告がMADD 108にローカルに記憶されているかどうかを判定することができる。選択された広告がMADD 108に記憶されている場合(すなわち、判定ブロック660=Yes)、ブロック664において、広告サーバ104は、選択された広告を表示するための命令を送信することができる。選択された広告がMADD 108にローカルに記憶されていない場合(すなわち、判定ブロック660=No)、ブロック662において、広告サーバは選択された広告をMADD 108に送信することができる。
【００７４】
ブロック662における選択された広告またはブロック664における命令のいずれかを送信した後、広告サーバ104は、ブロック952において、可動広告デバイスの運営者の口座に貸方計上し、広告を出している業者の口座に借方計上することができる。たとえば、業者の口座に貸方計上される広告料金は、可動広告デバイスが搭載される車両の運営者に支払われる料金とともに、広告サーバによって提供されるサービスに対する料金を含み得る。このようにして、サーバは、可動広告ディスプレイユニットによって表示されている広告の価値に基づいて、車両の運営者に支払われるべき金額を決定することができる。次いで、適切な間隔で、たとえば毎月、車両の運営者に対して支払いが行われ得る。広告を出している業者に対する請求書の送信と、車両の運営者に対する支払いの転送とは、電子的に処理され得る。
【００７５】
図10Aは、モバイルデバイスに関して発生した対話に応じて、MADD 108に広告を表示したことに対して、請求される額の請求書を業者に送るための、ある態様の方法1000を示す。上で説明されたように、MADD 108は、ブロック602において、現在の場所を決定することができる。MADD 108は、ブロック704において、範囲内のあらゆるモバイルデバイス106と接続し、ブロック706において、あらゆる接続されたモバイルデバイス106からユーザデータを受信することができる。MADD 108は、ブロック708において、その場所とともに、あらゆる受信されたユーザデータを広告サーバに送信することができる。
【００７６】
MADD 108は、判定ブロック606において、広告サーバ104から広告を受信することができる。MADD 108が広告サーバ104から広告を受信する場合(すなわち、判定ブロック606=Yes)、MADD 108は、ブロック908において、表示の間MADDに関連する様々な状態または事象を記録しつつ、受信された広告を表示することができる。上で論じられたように、これらの状態または事象は、広告を表示している間の位置、広告が表示された時間の長さ、広告の開始時間、または、広告を表示している間に開始されたモバイルデバイスとの接続の数もしくはリストの、記録を含み得る。
【００７７】
MADD 108が広告を受信しない場合(すなわち、判定ブロック606=No)、判定ブロック610において、MADD 108は、MADD 108にすでに記憶されている広告を表示するための命令を受信することができる。MADD 108が広告サーバからの命令を受信しない場合(すなわち、判定ブロック610=No)、MADD 108は、ブロック912において、表示の間、MADDの様々な状態を記録しつつ、デフォルトの広告を表示することができる。MADD 108が広告サーバ104からの命令を受信する場合(すなわち、判定ブロック610=Yes)、MADD 108は、ブロック914において、表示の間、MADDに関連する様々な状態または事象を記録しつつ、命令によって指示される広告を表示することができる。
【００７８】
ブロック908、912、または914において広告を表示した後、MADD 108は、ブロック902において、あらゆる記録された状態に基づいて、表示された広告と関連付けられる、顧客に対する第1の額の請求書を生成することができる。MADD 108はまた、広告が表示されていた期間に、MADD 108と接続されているモバイルデバイスの数に基づいて、ブロック1004において第2の額の請求書を生成することができる。第2の額は、ユーザが広告と実際に対話したことに対する、割増料金を表す。通常、広告が実際に見られたこと、または広告がユーザとの対話をもたらしたことが証明され得る場合、広告主は、広告に対してより多くの額を支払う意志がある。したがって、たとえば、クーポン、道順、または他の情報を送信するために、いくつかのモバイルデバイスとの通信リンクを確立する可動広告デバイスは、高度な広告サービスを提供しているので、それに応じて対価を受け得る。図10Aは、2つの請求書で計算されるものとして、そのような割増広告料金を示すが、それらの額は単一の請求書に含まれてもよい。
【００７９】
図10Bは、広告サーバによって口座に貸方計上し口座に借方計上するための、ある態様の方法1050を示す。広告サーバ104は、ブロック652において、複数の広告を受信することができ、ブロック754において、各受信された広告を地理的な領域、時間、またはサンプルユーザデータと関連付けることができる。広告サーバ104は、ブロック756において、MADD 108の場所と、MADD 108に接続されたモバイルデバイス106から収集されたあらゆるユーザデータとを受信することができる。広告サーバは、ブロック758において、受信された場所およびユーザデータ、さらには現在の時間を使用して、広告を選択することができる。
【００８０】
広告サーバ104は、判定ブロック660において、選択された広告がMADD 108にローカルに記憶されているかどうかを判定することができる。選択された広告がMADD 108に記憶されている場合(すなわち、判定ブロック660=Yes)、ブロック664において、広告サーバ104は、選択された広告を表示するための命令を送信することができる。選択された広告がMADD 108にローカルに記憶されていない場合(すなわち、判定ブロック660=No)、ブロック662において、広告サーバは選択された広告をMADD 108に送信することができる。
【００８１】
ブロック662において選択された広告を、またはブロック664において命令を送信した後、広告サーバ104は、選択された広告に基づいて、ブロック952において、車両の運営者の口座に第1の額を貸方計上し、広告を出している業者の口座に第1の額を借方計上することができる。任意のユーザデータがMADD 108と接続されるモバイルデバイス106から受信された場合、広告サーバはまた、ブロック1054において、車両の運営者の口座に第2の追加の額を貸方計上し、業者の口座に第2の追加の額を借方計上することができる。たとえば、特定のMADD 108上で可動広告を見た結果としてサーバが任意のモバイルデバイスと通信する場合、デバイスが搭載されている車両の運営者は、追加の額を支払われてよく、この追加の額は、広告を出している業者に同様に課金される。上で論じられたように、サーバにおけるモバイルデバイス間のそのような通信は、クーポン、より多くの情報などに対する要求に関与し得る。その情報は、広告がどの程度幅広く見られたかという尺度を提供できるので、広告サーバはまた、MADD 108によって報告されるユーザデータの数または量に基づいて、割増料金を支払い、かつ課すことができる。
【００８２】
図11Aは、モバイルデバイス106に接続したことおよびユーザ要求を受信したことに基づいて、MADD 108上で広告を表示したことに対して、異なる額の請求書を送るための、ある態様の方法1100を示す。MADD 108は、ブロック602において、現在の場所を決定することができる。MADD 108は、ブロック704において、範囲内のあらゆるモバイルデバイス106と接続し、ブロック706において、あらゆる接続されたモバイルデバイス106からユーザデータを受信することができる。MADD 108は、ブロック708において、その場所とともに、あらゆる受信されたユーザデータを広告サーバに送信することができる。
【００８３】
MADD 108は、判定ブロック606において、広告サーバ104から広告を受信することができる。MADD 108が広告サーバ104から広告を受信する場合(すなわち、判定ブロック606=Yes)、MADD 108は、ブロック908において、表示の間MADDの様々な状態を記録しつつ、受信された広告を表示することができる。これらの状態は、MADDに関連する様々なタイプの情報または表示される広告を含み得る。たとえば、MADDは、広告を表示している間の位置、広告が表示された時間の長さ、広告の開始時間、または、広告を表示している間に開始されたモバイルデバイスとの接続の数もしくはリストを記録することができる。
【００８４】
MADD 108が広告を受信しない場合(すなわち、判定ブロック606=No)、判定ブロック610において、MADD 108は、MADD 108にすでに記憶されている広告を表示するための命令を受信することができる。MADD 108が広告サーバからの命令を受信しない場合(すなわち、判定ブロック610=No)、MADD 108は、ブロック912において、表示の間、MADDの様々な状態を記録しつつ、デフォルトの広告を表示することができる。MADD 108が広告サーバ104からの命令を受信する場合(すなわち、判定ブロック610=Yes)、MADD 108は、ブロック914において、表示の間、MADDの様々な状態を記録しつつ、命令によって指示される広告を表示することができる。
【００８５】
ブロック908、912、または914において広告を表示した後、MADD 108は、ブロック902において、あらゆる記録された状態または事象に基づいて、表示された広告の購買者に対する第1の額の請求書を生成することができる。MADD 108は、ブロック1004において、MADDと接続されるモバイルデバイスの数に基づいて、第2の額の請求書を生成することができる。何らかのモバイルデバイスから受信されたユーザデータが何らかの種類の要求を含む場合、MADDは、ブロック1106において、第3の額の請求書を生成することができる。3つの請求書を生成する代わりに、第1の額、第2の額、および第3の額の各々を列挙できる、全体の額に対する単一の請求書が生成されてよい。
【００８６】
図11Bは、ユーザ要求に対する応答に応じて、広告サーバによって、異なる額を口座に貸方計上し口座に借方計上するための、ある態様の方法1150を示す。広告サーバ104は、ブロック652において、複数の広告を受信することができ、ブロック754において、各受信された広告を地理的な領域、時間、またはサンプルユーザデータと関連付けることができる。広告サーバ104は、ブロック756において、MADD 108の場所と、MADD 108に接続されたモバイルデバイス106から収集されたあらゆるユーザデータとを受信することができる。広告サーバ104は、判定ブロック772において、要求を任意の受信されたユーザデータが含むかどうかを判定することができる。ユーザデータは、様々なタイプの要求、たとえば、広告されている業者/製品についてのより多くの情報に対する要求、または、業者への道順に対する要求を含み得る。
【００８７】
要求がない場合(すなわち、判定ブロック772=No)、広告サーバはブロック758に進み得る。要求がある場合(すなわち、判定ブロック772=Yes)、広告サーバ104はブロック774において要求に応答することができる。広告サーバは、ユーザデータにおいて受信されたあらゆる要求に基づいて、ブロック1156において、第3の額を口座に貸方計上し口座に借方計上することができる。額は、要求のタイプおよび提供された応答の形式に基づいて変化し得る。
【００８８】
広告サーバは、ブロック758において、受信された場所およびユーザデータ、さらには現在の時間を使用して、広告を選択することができる。広告サーバ104は、判定ブロック660において、選択された広告がMADD 108にローカルに記憶されているかどうかを判定することができる。選択された広告がMADD 108に記憶されている場合(すなわち、判定ブロック660=Yes)、ブロック664において、広告サーバ104は、選択された広告を表示するための命令を送信することができる。選択された広告がMADD 108にローカルに記憶されていない場合(すなわち、判定ブロック660=No)、ブロック662において、広告サーバは選択された広告をMADD 108に送信することができる。
【００８９】
ブロック662において選択された広告を、またはブロック664において命令を送信した後、広告サーバ104は、選択された広告に基づいて、ブロック952において、第1の額を口座に貸方計上し口座に借方計上することができる。任意のユーザデータがMADD 108と接続されるモバイルデバイス106から受信された場合、広告サーバは、ブロック1054において、第2の額を同じ口座に貸方計上し同じ口座に借方計上することができる。
【００９０】
図12は、上で説明された方法1150と同様のある態様の方法1200を示すが、顧客確認に基づいて口座に貸方計上し、口座に借方計上するための追加のブロックを伴う。ブロック662において選択された広告を、またはブロック664において命令を送信した後、広告サーバ104は、選択された広告に基づいて、ブロック952において、第1の額を口座に貸方計上し口座に借方計上することができる。任意のユーザデータがMADD 108と接続されるモバイルデバイス106から受信された場合、広告サーバは、ブロック1054において、第2の額を同じ口座に貸方計上し、同じ口座に借方計上することができる。
【００９１】
広告サーバ104は、ブロック1202において、顧客確認を受信することができる。顧客確認は、広告を出している業者が、MADD 108に表示された広告によって顧客を誘引するのに成功したことを示し得る。クーポン引き換えの記録、モバイルデバイスの位置データ、および、業者におけるローカルワイヤレスネットワークとのモバイルデバイスの接続などを含む、様々な形式の顧客確認が使用され得る。たとえば、顧客確認は、業者または顧客自身から直接来ることもある。顧客確認は、自動的に生成され得る。たとえば、顧客確認は、MADDまたは広告サーバによってモバイルデバイスに配信されるクーポン790の引き換えの際、スポンサーサーバ110と接続される業者のコンピュータによって自動的に生成され得る。ユーザが業者を訪れたということの確認は、ユーザのモバイルデバイス106によって提供される位置データから推測され得る。一態様では、各MADD 108によるモバイルデバイス106の追跡および業者への訪問は、ワイヤレス通信リンクの確立の際に交換されたMACまたはデバイスIDに基づいて実現され得る。そのような確認は、ブロック1204において、第4の額を口座に貸方計上し、また口座に借方計上するために、広告サーバによって使用され得る。
【００９２】
位置、速度、およびMADD 108に表示される広告が、追跡され得る。そのような詳細情報を追跡することによって、広告主は、可動広告に良好に応答しているゾーンまたは領域を判定し、それに従って広告料金を調整することができる。業者またはスポンサーは、ある領域またはある時間において広告を出すかどうかを判断する際、追跡データに関心を持ち得る。広告主はまた、追跡データを使用して、広告カバレッジを向上させるために、MADDを再配置または再分散することができる。
【００９３】
図13は、MADD 108を再分散するためのある態様の方法1300を示す。複数のMADDの現在の場所が、ブロック1302において受信され得る。広告主の広告目標を満たすための広告主の要求および要望に従ってMADDが地理的に分散しているかどうかを判定するために、所定のアルゴリズムが使用され得る。MADD 108は何らかの形で(たとえば、広い領域を網羅するように)分散しなければならない、または、MADD 108は何らかの領域(たとえば、歓楽街の中心部の近く)に集中していなければならないと、広告主は規定することができる。これらの広告主の要求は、最小間隔の閾値、何らかの定義された領域における最小密度の閾値、および、何らかの定義された領域における最大密度の閾値によって、定義され得る。そのような広告主の要求に従ったMADD 108の分散をコンピュータシステムがサポートできるようにするために、関連する閾値は、広告サーバ104(または他のコンピューティングデバイス)上で実装され得るアルゴリズムにおいて実装され得る。そのようなアルゴリズムは、集中を防ぐための単純な間隔の規則(たとえば、MADDは少なくともXメートル離れていなければならない)から、時刻、広告の内容、好ましい顧客または業者、あるゾーンの収益性、および複数の他の変数を考慮した、より高度な複数要因のアルゴリズムにまでわたり得る。ある例として、企業は、ある時間および位置で広告を見せることを望み得るので、車両がそうした広告ゾーンおよび対象の時間に存在しない場合、それに従って一部の車両を振り向ける必要があり得る。
【００９４】
ブロック1304において、MADDの場所データは、広告主によって確立される、間隔、密度、および/または位置の閾値と比較されてよく、判定ブロック1306において、広告サーバまたは他の制御コンピューティングデバイスは、間隔、密度、および/または位置の閾値が満たされているかどうかを判定することができる。MADDが、間隔、密度、および/または位置の閾値を満たすほど十分に分散している場合(すなわち、判定ブロック1306=Yes)、動作を行う必要はない。MADDが、間隔、密度、および/または位置の閾値を満たすほどには十分に分散していない場合(すなわち、判定ブロック1306=No)、ブロック1308において、MADDの新たな場所が、広告主の選好および要求をより良好に満たす位置を決定するためのアルゴリズムを使用することによって、決定され得る。様々な最適化技法が、新たな場所を決定するためのアルゴリズムにおいて使用され得る。たとえば、サーバは、たとえば擬似焼きなまし法または遺伝的アルゴリズムにおけるように、運転命令を出してアルゴリズムを繰り返すことによって、現在の場所を繰り返し微調整することができる。繰り返しの数も、態様に応じて変わり得る。
【００９５】
新たな場所は、ブロック1310において、複数のMADDに送信され得る。これらの場所は、特定の広告ゾーンにおいてMADDを動作させることに対してより多く支払いを受けるために、提案として、状況に応じた命令として、またはオファーとして送信され得る。たとえば、タクシー運転手は、第1の領域にある自分のタクシーに搭載されたMADDに表示される広告に対して支払いを受け得る。タクシー運転手は、第2の領域を運転することでより多くの支払いを受けるであろうことを示す、新たな場所を受信することができる。タクシー運転手は運賃により関心があるかもしれないが、どちらの領域でも同じ運賃を得るであろうとタクシードライバーが考えている場合には、広告の表示からより多くの収入を得るために第2の領域に向かって運転する可能性が高い。
【００９６】
図14は、MADD 108の場所の記録を提供するためにサーバにおいて実施され得る、ある態様の方法1400を示す。複数のMADD 108からの場所が、ブロック1402において受信され得る。受信された場所は、ブロック1404においてメモリに記憶され得る。これらの場所は、様々なタイプのデータ構造において、各位置の時間と関連付けられ得る。
【００９７】
広告をどのように配置すべきかを考える広告主または業者は、記憶された場所データを要求することができる。記憶された場所に対する要求が受信されない場合(すなわち、判定ブロック1406=No)、サーバは場所データの収集を続けることができる。記憶された場所に対する要求が受信される場合(すなわち、判定ブロック1406=Yes)、ブロック1408において、記憶された場所が取り出され得る。各場所と関連付けられる時間も、取り出され得る。要求が場所のプロットに対する要求を含む場合、プロットがブロック1410において生成され得る。これらの場所は関連付けられた時間に関連するので、プロットはこれらの場所に基づき得る。取り出された場所およびあらゆる要求されたプロットが、ブロック1412において要求者に提供され得る。
【００９８】
図15および図16に示されるさらなる態様では、互いに近接して配置される多数のMADDディスプレイユニットが、複数車両による表示を提示するために協力し得る。そのような実施形態は、タクシー乗り場、バス乗降区域、トラックストップなどのような、商用車両が集合し得る多数の状況で有用であり得る。そのような状況では、様々なディスプレイが組み合わせて使用され得るように、複数のMADDディスプレイが並べられ得る。一連のMADDディスプレイは、1つの長い広告、または、ある車両/ディスプレイから次の車両/ディスプレイへとジャンプする動く広告を形成するために使用され得る。たとえば、空港またはホテルの前に並んでいるMADDディスプレイを備えたタクシーの列が、いずれかの単一のディスプレイ自体よりも大きい広告を生成するために使用され得る。別の例として、単一のMADDディスプレイに提示される広告は、ある車両から次の車両にジャンプするように見えてよい。さらなる例では、車両の列が所与の位置を通過する際、単一の広告が車両のMADDディスプレイに一瞬現れるようにされ得る。さらなる例として、複数のMADDディスプレイへの提示が、イベントを強調するために、または注意を引くために、動画を表示し得る壁画のようなディスプレイを生成するように、同期され得る。
【００９９】
図15は、MADDディスプレイ108a、108b、108cを備え、ワイヤレス通信システム102を介して広告サーバ104と通信している、3つの車両130a、130b、130cからなる通信システム1500を示す。上で論じられたように、各MADDディスプレイ108a、108b、108cは、ワイヤレスデータリンク124を介して、それらの位置を広告サーバ104に送信し、広告表示メッセージを広告サーバ104から受信することができる。広告サーバおよび/またはMADDディスプレイ108a、108b、108cが、最小の数(たとえば、2以上)のMADDディスプレイが互いに閾値以内の近隣にあることを認識する場合、MADDディスプレイ108a、108b、108cはまた、位置データを交換し複数車両による広告表示を調整するために、ワイヤレスデータリンク1502を通じて互いに通信することもできる。MADDディスプレイ108a、108b、108cは、それらの固有の位置とともに、周囲にある他のMADDディスプレイの位置を、ディスプレイとディスプレイの間のワイヤレスデータリンク1502を介して交換することができる。MADDディスプレイ108a、108b、108cはまた、これらのディスプレイが、各々のそれぞれのMADDディスプレイに現れるように言葉および画像をディスプレイ間で調整することを可能にする、ディスプレイ情報を交換することができる。MADDディスプレイユニットプロセッサ内での、そのような調整およびソフトウェアの機能を通じて、各MADDディスプレイユニット108a、108b、108cは、MADDディスプレイのグループ内での自身の相対的な場所と、自身が提示すべき複数車両による広告表示の部分とを、決定することができる。
【０１００】
図16は、図15に示される通信システム1500を使用して実装され得る複数車両による表示を生成するための、ある態様の方法1600を示す。方法1600では、ステップ1602において、ブロック1602において、各MADDディスプレイが、その現在の場所を決定し、広告サーバに報告することができる。ブロック1604において、広告サーバが、複数のMADDディスプレイから場所報告を受信することができ、判定ブロック1606において、複数車両による表示をサポートするのに十分な数のMADDディスプレイが、互いに近接して位置しているかどうかを判定することができる。複数車両による表示のための最小の数のMADDディスプレイは、その表示に応じて、さらにはグループ中のMADDディスプレイのサイズに応じて変わり得る。十分な数のMADDディスプレイが所与の位置において近くにないと広告サーバが判定する場合(すなわち、判定ブロック1606=「No」)、広告サーバは、上で説明されたように、ブロック1608において通常の動作を続けることができる。十分な数のMADDディスプレイが所与の位置に集合していると広告サーバが判定する場合(すなわち、判定ブロック1606=「Yes」)、サーバは、ブロック1610において、複数車両による表示メッセージを生成し、それを集まったMADDディスプレイのグループに送信することができる。
【０１０１】
ブロック1610において生成され送信されたそのような複数車両による表示メッセージは、複数車両による表示のそれぞれの部分を決定し描画するために各ディスプレイユニットが必要とする情報を、識別されたグループ内のMADDディスプレイに提供することができる。そのような情報は、すべての車両に現れる画像および文字と、個々のディスプレイに現れる複数車両による表示の要素と、グループのすべてのメンバー(すなわち、サーバによって近接しているものと判定されたMADDディスプレイ)の識別子との、全体のセットを含み得る。複数車両による表示メッセージはまた、たとえば、動画表示する複雑なディスプレイの同期を可能にするための、複数車両による表示の特定の部分を表示するためのタイミングに関するさらなる情報を含み得る。複数車両による表示メッセージはさらに、各々が特定の時間に描画されるべき特定の画像のような、特定のMADDディスプレイ向けの特定の情報を含み得る。広告サーバによって提供される命令が具体的になるほど、様々なMADDディスプレイユニットが実行しなければならない処理および連携は少なくなり得る。たとえば、サーバが、ディスプレイの列の中での各MADDディスプレイの具体的な位置を、受信された場所報告から決定できる場合、サーバは、全体的な複数車両による表示が望み通りに見えるように、画像および/または文字が提示されるべき各ディスプレイを特定することができる。しかしながら、MADDディスプレイのいくつかから受信された場所報告に大きい誤りがある(たとえば、場所報告が正確なGPS位置に基づかない)場合、サーバは、グループ内の相対的な場所と、各MADDディスプレイに現れる複数車両による表示の特定の部分とを決定する処理を、ディスプレイのプロセッサに委ねることがある。したがって、複数車両による表示メッセージ内に含まれる情報は、状況とともに、表示内容および関与する車両の数に依存し得る。
【０１０２】
複数車両による表示を描画するための、グループ内で識別されるMADDディスプレイの各々が、ブロック1612において、サーバからメッセージを受信することができる。ブロック1614において、グループ内のMADDディスプレイユニットが、互いにワイヤレスデータリンクを確立することができる。そのようなワイヤレスデータリンクは、セルラーデータリンク(たとえば、IPアドレス指定およびインターネットプロトコル通信を使用した)、Wi-Fiリンク、Bluetooth(登録商標)リンク、アドホックワイヤレスデータリンク(たとえば、ZigBee(登録商標)データリンク)などを含む、ディスプレイユニットが利用可能なワイヤレス通信システムのいずれかを通じて実現され得る。ある態様では、ディスプレイユニットとディスプレイユニットの間のワイヤレスデータリンクはまた、そのようなディスプレイユニット間の通信のためのルータとして機能し得る、広告サーバへのワイヤレス通信システムを通じて確立され得る。ブロック1616において、グループ内のMADDディスプレイユニットは、互いにそれぞれの位置データを交換できるので、各ユニットは、ブロック1618において、列内での自身固有の場所またはグループ内での位置を決定することができる。あるいは、または加えて、MADDディスプレイユニットは、ブロック1616において、たとえば、信号強度を使用して離間距離を推定することによって、ワイヤレス通信を使用してグループ内の各他のディスプレイユニットの相対的な位置を明らかにすることができる。
【０１０３】
ブロック1620において、各MADDディスプレイユニットは、グループ内での決定された場所または位置に基づいて、各々が提示すべき、複数車両による表示の部分を決定することができる。MADDディスプレイは2つの面を有し得るので、たとえば、ディスプレイが車両の頂部に配置されている場合、ブロック1620において、各MADDディスプレイユニットは、ディスプレイの各面に対して、ディスプレイの列内での自身の場所を決定することができる。したがって、メッセージが、ディスプレイの列に沿って延びる画像および/または言葉の列として提示されるべきである場合、任意の1つのディスプレイに現れる画像全体の部分は、(そのような列の中心にあるMADDディスプレイを除き)2つの面で異なる可能性が高い。
【０１０４】
ブロック1622において、各MADDディスプレイは、複数車両による表示の自身の部分(または、ディスプレイが2つの面を有する場合、複数の部分)を描画することができる。ブロック1624において、各MADDディスプレイユニットは、会員の変更またはグループ内のディスプレイの相対的な場所の変更について、自身固有の場所およびグループ通信を監視することができる。たとえば、各MADDディスプレイユニットは、グループの会員(たとえば、ディスプレイがグループの他のメンバーの近傍から離れた場合)に、かつ/または、グループ内でのディスプレイユニットの相対的な場所に影響を与え得るように、各MADDディスプレイが移動した(たとえば、GPS座標が変化した)かどうかを判定することができる。また、グループMADDディスプレイユニットは、互いに、かつサーバと場所情報を交換し続けることができ、各ディスプレイユニットは、そのような通信を監視して、いつグループ会員および/または地理的な場所が変化したかを判定することができる。判定ブロック1626において、各MADDディスプレイユニットは、グループの変化がいつ発生したかを検出することができる。グループの変化が発生しない限り(すなわち、判定ブロック1626=「No」)、ユニットは、ブロック1622において複数車両による表示の自身固有の部分を表示し続けることができる。グループの変化が検出される場合(すなわち、判定ブロック1626=「Yes」)、ディスプレイユニットは、判定ブロック1628において、ディスプレイユニットがグループ内に残っているかどうかを判定することができる。ディスプレイユニットがグループから出たまたはグループが解体されたと、ディスプレイユニットが判定する場合(すなわち、判定ブロック1628=「No」)、ディスプレイユニットは、ブロック1630において通常の動作に戻ることができ、たとえば、上で説明された様々な態様の、単一車両による表示を生成する。ディスプレイユニットはまだグループのメンバーであるがグループが変化したと、ディスプレイユニットが判定する場合(すなわち、判定ブロック1628=「Yes」)、ディスプレイユニットはブロック1616に戻って、ブロック1618においてグループ中での新たな相対的な場所を決定するために、グループの他のメンバーの位置を交
換または把握することができ、ブロック1620において、描画されるべき複数車両による表示の自身固有の部分を決定することができる。新たなMADDディスプレイユニットがグループに加わった場合、各ディスプレイユニットは、グループの新たなメンバーとのワイヤレスデータリンクを確立するために、ブロック1614に戻ることができる。
【０１０５】
様々な態様は、図17に示されるサーバ1700のような、種々の市販のサーバデバイスのいずれにおいても実装され得る。そのようなサーバ1700は通常、揮発性メモリ1702と、ディスクドライブ1703のような大容量の不揮発性メモリとに結合された、プロセッサ1701を含む。サーバ1700はまた、プロセッサ1701に結合された、フレキシブルディスクドライブ、コンパクトディスク(CD)またはDVDディスクドライブ1704も含み得る。サーバ1700はまた、他のブロードキャストシステムコンピュータおよびサーバに結合されたローカルエリアネットワークなど、ネットワーク1712とデータ接続を確立するための、プロセッサ1701に結合されたネットワークアクセスポート1706も含み得る。サーバ1700はまた、キーボード1708、ポインタデバイス(たとえば、コンピュータマウス1710)、およびディスプレイ1709のような、操作者インターフェースを含み得る。
【０１０６】
図18は、例示的なMADD 108のコンポーネントのいくつかを示す。MADD 108は、大型のデジタル制御される広告ディスプレイ1802を含み得る。ディスプレイ1802は、発光ダイオードディスプレイ、液晶ディスプレイ、電界発光ディスプレイ、および干渉変調器ディスプレイのような、種々のタイプのディスプレイのいずれであってもよい。ディスプレイ1802は、ディスプレイに提示される画像を提供するように構成された、プロセッサ1804に接続され得る。プロセッサ1804はまた、メモリ1810と、位置を決定するためのGPSデバイス1806と、アンテナ1812を有するワイヤレス通信送受信機1808とに結合され得る。プロセッサ1804は、様々な態様の方法の動作を実行するように、プロセッサ実行可能命令によって構成され得る。
【０１０７】
図19は、使用時のMADD 108の例を示す。この例では、MADDはタクシー130の頂部にあるが、様々な他の車両が使用されてよい。MADD 108は、アンテナ1812と、プロセッサ1804および図18を参照して上で説明された他のコンポーネントを含み得る構造物1902とを含み得る。
【０１０８】
上記の方法の説明および処理流れ図は、単に説明のための例として提供されたものであり、様々な態様の動作またはステップを提示された順序で実行しなければならないことを要求または暗示するものではない。当業者が諒解するように、上記の態様におけるブロックの順序は、どのような順序で実行されてもよい。「その後」、「次いで」、「次に」などの単語は、動作またはステップの順序を限定するものではなく、これらの単語は、単に方法の説明を通じて読者を案内するために使用される。さらに、たとえば、冠詞「a」、「an」または「the」などを使用した単数形での請求要素への言及は、どれもその要素を単数に限定するものとして解釈されるべきではない。
【０１０９】
本明細書で開示された態様に関して説明された様々な例示的な論理ブロック、モジュール、回路、およびアルゴリズムステップは、電子ハードウェア、コンピュータソフトウェア、または両方の組合せとして実装され得る。ハードウェアとソフトウェアのこの互換性を明確に示すために、様々な例示的なコンポーネント、ブロック、モジュール、回路、およびステップを、上記では概してそれらの機能に関して説明した。そのような機能をハードウェアとして実装するか、ソフトウェアとして実装するかは、具体的な適用例および全体的なシステムに課される設計制約に依存する。当業者は、説明した機能を具体的な適用例ごとに様々な方法で実装することができるが、そのような実装の決定は、本発明の範囲からの逸脱を生じるものと解釈すべきではない。
【０１１０】
本明細書に開示された態様に関して記載された様々な例示的な論理、論理ブロック、モジュール、および回路を実装するために使用されるハードウェアは、汎用プロセッサ、デジタル信号プロセッサ(DSP)、特定用途向け集積回路(ASIC)、フィールドプログラマブルゲートアレイ(FPGA)もしくは他のプログラマブル論理デバイス、個別ゲートもしくはトランジスタ論理、個別のハードウェアコンポーネント、または、本明細書に記載された機能を実行するように設計されたそれらの任意の組合せで、実装または実行され得る。本明細書で説明される態様の方法は、方法の動作を実行するためのプロセッサ実行可能命令によってコンピューティングデバイスのプロセッサを構成することによって、コンピューティングデバイス内で実施され得る。汎用プロセッサはマイクロプロセッサであり得るが、代替として、汎用プロセッサは任意の従来のプロセッサ、コントローラ、マイクロコントローラ、または状態機械であり得る。プロセッサはまた、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装され得る。あるいは、いくつかのステップまたは方法が、所与の機能に固有の回路によって実行され得る。
【０１１１】
1つまたは複数の例示的な態様では、説明された動作および機能は、ハードウェア、ソフトウェア、ファームウェア、またはそれらの任意の組合せで実装され得る。ソフトウェアで実装される場合、機能は、コンピュータ可読媒体上に記憶され得る。本明細書で開示された方法またはアルゴリズムの動作は、非一時的コンピュータ可読媒体またはプロセッサ可読媒体上に記憶され得る、プロセッサ実行可能ソフトウェアモジュールで具現化され得る。非一時的コンピュータ可読媒体およびプロセッサ可読媒体は、コンピュータまたはプロセッサによってアクセスされ得る任意の使用可能な記憶媒体であってよい。限定ではなく例として、そのような非一時的コンピュータ可読媒体は、RAM、ROM、EEPROM、CD-ROMもしくは他の光ディスク記憶装置、磁気ディスク記憶装置もしくは他の磁気記憶デバイス、または、命令もしくはデータ構造の形式で所望のプログラムコードを搬送もしくは記憶するために使用され得るとともに、コンピュータによってアクセスされ得る任意の他の媒体を含み得る。本明細書で使用する場合、ディスク(disk)およびディスク(disc)は、コンパクトディスク(CD)、レーザディスク、光ディスク、デジタル多用途ディスク(DVD)、フレキシブルディスク、およびブルーレイディスクを含み、ディスク(disk)は、通常、磁気的にデータを再生し、ディスク(disc)は、レーザで光学的にデータを再生する。上記の組合せもコンピュータ可読媒体の範囲内に含めるべきである。加えて、方法またはアルゴリズムの動作は、コンピュータプログラム製品に組み込まれ得る、非一時的プロセッサ可読媒体および/またはコンピュータ可読媒体上のコードおよび/または命令の、1つまたは任意の組合せ、またはそのセットとして存在し得る。
【０１１２】
開示された態様の上記の説明は、当業者が本発明を製作または使用できるように提供される。これらの態様への様々な修正は当業者には容易に明らかになり、本明細書で定義する一般的な原理は、本発明の範囲から逸脱することなく他の態様に適用され得る。したがって、本発明は、本明細書に示された態様に限定されることは意図されず、本明細書で開示される原理および新規の特徴に一致する最大の範囲を与えられるものである。
【０１１３】
100  広告通信システム
102  ワイヤレス通信システム
104  広告サーバ
106  モバイルデバイス
108  可動広告ディスプレイデバイス
110  スポンサーサーバ
112  インターネット
114  ワイヤレスデータリンク
116  ワイヤレスデータリンク
120  ネットワーク接続
122  ローカルエリアネットワーク
124  ワイヤレスデータリンク
126  インターネットゲートウェイ接続
130  タクシー
【図１】
0005759626.tif 000002
【図２Ａ】
0005759626.tif 000003
【図２Ｂ】
0005759626.tif 000004
【図３Ａ】
0005759626.tif 000005
【図３Ｂ】
0005759626.tif 000006
【図４】
0005759626.tif 000007
【図５Ａ】
0005759626.tif 000008
【図５Ｂ】
0005759626.tif 000009
【図６Ａ】
0005759626.tif 000010
【図６Ｂ】
0005759626.tif 000011
【図７Ａ】
0005759626.tif 000012
【図７Ｂ】
0005759626.tif 000013
【図７Ｃ】
0005759626.tif 000014
【図７Ｄ】
0005759626.tif 000015
【図７Ｅ】
0005759626.tif 000016
【図８】
0005759626.tif 000017
【図９Ａ】
0005759626.tif 000018
【図９Ｂ】
0005759626.tif 000019
【図１０Ａ】
0005759626.tif 000020
【図１０Ｂ】
0005759626.tif 000021
【図１１Ａ】
0005759626.tif 000022
【図１１Ｂ】
0005759626.tif 000023
【図１２】
0005759626.tif 000024
【図１３】
0005759626.tif 000025
【図１４】
0005759626.tif 000026
【図１５】
0005759626.tif 000027
【図１６】
0005759626.tif 000028
【図１７】
0005759626.tif 000029
【図１８】
0005759626.tif 000030
【図１９】
0005759626.tif 000031